(57)【特許請求の範囲】
【請求項１】
動的なＴＤＤシステムにおけるチャネル測定の設定方法であって、
前記方法は、
ネットワーク側装置が、スケジューリングすべきサブフレーム伝送方向と、目標セルの隣接強干渉セルのサブフレーム構成情報とに基づいて複数のダウンリンクサブフレームグループに分割するステップと、
前記ネットワーク側装置が、ダウンリンクサブフレームグループに対応するチャネル測定設定情報をユーザー装置に通知するステップとを備え、
前記ネットワーク側装置が、ダウンリンクサブフレームグループに対応するチャネル測定設定情報をユーザー装置に通知した後、
前記ネットワーク側装置が、アップリンクグラント（ＵＬ  ｇｒａｎｔ）におけるチャネル品質指標リクエスト（ＣＱＩ  ｒｅｑｕｅｓｔ）情報を介して、前記ユーザー装置が少なくとも１つのダウンリンクサブフレームグループのＤＬ  ＣＳＩをフィードバックするようにトリガーするステップと
をさらに備え、
前記ＣＱＩ  ｒｅｑｕｅｓｔ情報の長さは、複数のビットであり、
前記ネットワーク側装置が、ＵＬ  ｇｒａｎｔにおけるＣＱＩ  ｒｅｑｕｅｓｔ情報を介して、前記ユーザー装置が少なくとも１つのダウンリンクサブフレームグループのＤＬ  ＣＳＩをフィードバックするようにトリガーすることは、
前記ネットワーク側装置が、ダウンリンクサブフレームグループとビット値の対応関係に基づいて、フィードバックすべきダウンリンクサブフレームグループに対応するビット値を確定し、確定したビット値に基づいてＣＱＩ  ｒｅｑｕｅｓｔ情報を確定し、且つ確定したＣＱＩ  ｒｅｑｕｅｓｔ情報をユーザー装置に通知するか、
または、
前記ネットワーク側装置が、ダウンリンクサブフレーム集合とビット値の対応関係に基づいて、フィードバックすべきダウンリンクサブフレーム集合に対応するビット値を確定し、確定したビット値に基づいてＣＱＩ  ｒｅｑｕｅｓｔ情報を確定し、且つ確定したＣＱＩ  ｒｅｑｕｅｓｔ情報をユーザー装置に通知する、ことを備え、
１つのダウンリンクサブフレーム集合には、少なくとも１つのダウンリンクサブフレームグループが含まれることを特徴とするチャネル測定の設定方法。
【請求項２】
前記ネットワーク側装置が、ダウンリンクサブフレームグループに対応するチャネル測定設定情報をユーザー装置に通知する前に、
前記ネットワーク側装置が、ダウンリンクサブフレームグループに含まれるダウンリンクサブフレームをユーザー装置に通知するステップをさらに備えることを特徴とする請求項１に記載のチャネル測定の設定方法。
【請求項３】
前記ネットワーク側装置が、ダウンリンクサブフレームグループに対応するチャネル測定設定情報をユーザー装置に通知する前に、
前記ネットワーク側装置が、ダウンリンクサブフレームグループに対応する周期的なチャネル状態情報（ＣＳＩ）フィードバック周期、フィードバックサブフレーム及びフィードバックチャネルリソースを確定するステップと、
前記ネットワーク側装置が、確定したダウンリンクサブフレームグループに対応する周期的なＣＳＩフィードバック周期、フィードバックサブフレーム及びフィードバックチャネルリソースを、前記ダウンリンクサブフレームグループに対応するチャネル測定設定情報とするステップとをさらに備えることを特徴とする請求項２に記載のチャネル測定の設定方法。
【請求項４】
前記ネットワーク側装置が、ダウンリンクサブフレームグループに対応するチャネル測定設定情報をユーザー装置に通知する前に、
前記ネットワーク側装置が、ダウンリンクサブフレームグループに含まれるダウンリンクサブフレームと、ダウンリンクサブフレームグループに対応する測定周期とを、当該ダウンリンクサブフレームグループに対応するチャネル測定設定情報とすることと、
または、
前記ネットワーク側装置が、各ＣＳＩ測定サブフレームとダウンリンクサブフレームグループの対応関係、及びダウンリンクサブフレームグループに対応するＣＳＩ測定周期を、前記ダウンリンクサブフレームグループに対応するチャネル測定設定情報とすることとを備え、
１つのＣＳＩ測定サブフレームは、１つのダウンリンクサブフレームグループに対応することを特徴とする請求項１に記載のチャネル測定の設定方法。
【請求項５】
動的なＴＤＤシステムにおけるダウンリンクチャネル状態情報（ＤＬ  ＣＳＩ）のフィードバック方法であって、
前記方法は、
ユーザー装置が、ネットワーク側装置からの、ダウンリンクサブフレームグループに対応するチャネル測定設定情報を受信するステップと、
前記ユーザー装置が、チャネル測定設定情報に基づいてＤＬ  ＣＳＩ測定を行い、且つネットワーク側装置に測定結果をフィードバックするステップとを備え、
前記ダウンリンクサブフレームグループは、スケジューリングすべきサブフレーム伝送方向と、目標セルの隣接強干渉セルのサブフレーム構成情報とに基づいてネットワーク側装置が分割したグループであり、
前記ユーザー装置がネットワーク側装置に測定結果をフィードバックすることは、
前記ユーザー装置が、前記ネットワーク側装置からのトリガーを受信した後、受信した前記ネットワーク側装置からのアップリンクグラント（ＵＬ  ｇｒａｎｔ）におけるチャネル品質指標リクエスト（ＣＱＩ  ｒｅｑｕｅｓｔ）情報に基づいて、フィードバックが必要と確定した後、測定結果をフィードバックすることを備え、
前記ＣＱＩ  ｒｅｑｕｅｓｔ情報の長さは、複数のビットであり、
前記ユーザー装置が測定結果をフィードバックすることは、
前記ユーザー装置が、ダウンリンクサブフレームグループとビット値の対応関係に基づいて、ＣＱＩ  ｒｅｑｕｅｓｔ情報のビット値に対応するダウンリンクサブフレームグループを確定し、且つ確定したダウンリンクサブフレームグループにおけるＤＬ  ＣＳＩ測定サブフレームにより測定したＤＬ  ＣＳＩをフィードバックするか、
または、
前記ユーザー装置が、ダウンリンクサブフレーム集合とビット値の対応関係に基づいて、ＣＱＩ  ｒｅｑｕｅｓｔ情報のビット値に対応するダウンリンクサブフレーム集合を確定し、且つ、確定したダウンリンクサブフレーム集合内のダウンリンクサブフレームグループにおけるＤＬ  ＣＳＩ測定サブフレームにより測定したＤＬ  ＣＳＩをフィードバックする、ことを備え、
ここで、１つのダウンリンクサブフレーム集合には、少なくとも１つのダウンリンクサブフレームグループが含まれることを特徴とするダウンリンクチャネル状態情報（ＤＬ  ＣＳＩ）のフィードバック方法。
【請求項６】
前記ユーザー装置がネットワーク側装置からのダウンリンクサブフレームグループに対応するチャネル測定設定情報を受信する前に、
前記ユーザー装置が、ネットワーク側装置からのダウンリンクサブフレームグループに含まれるダウンリンクサブフレームの通知を受信するステップをさらに備えることを特徴とする請求項５に記載のダウンリンクチャネル状態情報（ＤＬ  ＣＳＩ）のフィードバック方法。
【請求項７】
前記チャネル測定設定情報は、ダウンリンクサブフレームグループに対応する周期的なＣＳＩフィードバック周期と、フィードバックサブフレームと、フィードバックチャネルリソースとを含むことを特徴とする請求項６に記載のダウンリンクチャネル状態情報（ＤＬ  ＣＳＩ）のフィードバック方法。
【請求項８】
前記ユーザー装置が、チャネル測定設定情報に基づいてＤＬ  ＣＳＩ測定を行い、且つネットワーク側装置に測定結果をフィードバックすることは、
前記ユーザー装置が、周期的なＣＳＩフィードバック周期に基づいて、フィードバックチャネルリソースにより、フィードバックサブフレームにおいて、対応するダウンリンクサブフレームグループにおいて測定したＤＬ  ＣＳＩをフィードバックすることを備えることを特徴とする請求項７に記載のダウンリンクチャネル状態情報（ＤＬ  ＣＳＩ）のフィードバック方法。
【請求項９】
前記ユーザー装置が測定結果をフィードバックすることは、
前記ユーザー装置が、サブフレームｎにおいて、サブフレームｎ−ｋｉにおいて測定した、フィードバックサブフレームに対応するダウンリンクサブフレームグループのＤＬ  ＣＳＩをフィードバックすることを備え、
ここで、ｋｉ≧ｍであり、
ｍは、サブフレームを単位とするユーザー装置の処理時間であり、
サブフレームｎ−ｋｉは、サブフレームｎから一番近い前記ダウンリンクサブフレームグループにおけるダウンリンクサブフレームであり、
ｉはＮより小なりイコールの正整数であり、
Ｎはダウンリンクサブフレームグループ数であることを特徴とする請求項８に記載のダウンリンクチャネル状態情報（ＤＬ  ＣＳＩ）のフィードバック方法。
【請求項１０】
前記ユーザー装置が測定結果をフィードバックすることは、
１つのアップリンクフィードバックサブフレームが複数のダウンリンクサブフレームグループを対応すれば、前記ユーザー装置が前記アップリンクフィードバックサブフレームにより、前記複数のダウンリンクサブフレームグループのうちの１のグループのＤＬ  ＣＳＩをフィードバックすることを備えることを特徴とする請求項８に記載のダウンリンクチャネル状態情報（ＤＬ  ＣＳＩ）のフィードバック方法。
【請求項１１】
前記チャネル測定設定情報は、ダウンリンクサブフレームグループに含まれるダウンリンクサブフレームと、ダウンリンクサブフレームグループに対応するＣＳＩ測定周期とであり、
前記ユーザー装置が測定情報に基づいてＤＬ  ＣＳＩ測定を行うことは、
前記ユーザー装置が、１つのダウンリンクサブフレームグループから１つのダウンリンクサブフレームをＤＬ  ＣＳＩ測定サブフレームとして選択し、対応するＣＳＩ測定周期に基づいてＤＬ  ＣＳＩ測定を行うことを備えることを特徴とする請求項５に記載のダウンリンクチャネル状態情報（ＤＬ  ＣＳＩ）のフィードバック方法。
【請求項１２】
前記チャネル測定設定情報は、ＣＳＩ測定サブフレームとダウンリンクサブフレームグループの対応関係と、対応のＣＳＩ測定周期とであり、
１つのＣＳＩ測定サブフレームは、１つのダウンリンクサブフレームグループと対応し、
前記ユーザー装置がチャネル測定設定情報に基づいてＤＬ  ＣＳＩ測定を行うことは、
前記ユーザー装置が、対応するＣＳＩ測定周期に基づいて、ダウンリンクサブフレームグループに対応するＤＬ  ＣＳＩ測定サブフレームにより、ＤＬ  ＣＳＩ測定を行うことを備えることを特徴とする請求項５に記載のダウンリンクチャネル状態情報（ＤＬ  ＣＳＩ）のフィードバック方法。
【請求項１３】
前記ユーザー装置が測定結果をフィードバックすることは、
ＣＱＩ  ｒｅｑｕｅｓｔ情報を搬送するＵＬ  ｇｒａｎｔがサブフレームｎのＰＵＳＣＨ伝送をスケジューリングし、且つＣＱＩ  ｒｅｑｕｅｓｔ情報がＣＳＩフィードバックが必要と示す場合、前記ユーザー装置が、当該ＰＵＳＣＨにおいて、サブフレームｎにより、サブフレームｎ−ｋｉにおいて測定したＤＬ  ＣＳＩをフィードバックすることを備え、
ここで、ｋｉ≧ｍであり、
前記ｍは、サブフレームを単位とするユーザー装置の処理時間であり、
サブフレームｎ−ｋｉはサブフレームｎから一番近い第ｉ個ダウンリンクサブフレームグループにおけるＤＬ  ＣＳＩ測定サブフレームであり、
ｉはＮより小なりイコールの正整数であり、且つｉは、ＣＱＩ  ｒｅｑｕｅｓｔ情報によりトリガーする、フィードバックすべきダウンリンクサブフレームグループナンバであり、
Ｎはダウンリンクサブフレームグループ数であることを特徴とする請求項５に記載のダウンリンクチャネル状態情報（ＤＬ  ＣＳＩ）のフィードバック方法。
【請求項１４】
動的なＴＤＤシステムにおけるチャネル測定を設定するネットワーク側装置であって、
前記ネットワーク側装置は、
スケジューリングすべきサブフレーム伝送方向と、目標セルの隣接強干渉セルのサブフレーム構成情報とに基づいて複数のダウンリンクサブフレームグループに分割するネットワーク側装置と、
ダウンリンクサブフレームグループに対応するチャネル測定設定情報をユーザー装置に通知する第１処理モジュールとを備え、
前記第１処理モジュールが、ダウンリンクサブフレームグループに対応するチャネル測定設定情報をユーザー装置に通知した後、アップリンクグラント（ＵＬ  ｇｒａｎｔ）におけるチャネル品質指標リクエスト（ＣＱＩ  ｒｅｑｕｅｓｔ）情報を介して、前記ユーザー装置が少なくとも１つのダウンリンクサブフレームグループのＤＬ  ＣＳＩをフィードバックするようにトリガーし、
前記ＣＱＩ  ｒｅｑｕｅｓｔ情報の長さは、複数のビットであり、
前記第１処理モジュールが、ＵＬ  ｇｒａｎｔにおけるＣＱＩ  ｒｅｑｕｅｓｔ情報を介して、前記ユーザー装置が少なくとも１つのダウンリンクサブフレームグループのＤＬ  ＣＳＩをフィードバックするようにトリガーすることは、
前記第１処理モジュールが、ダウンリンクサブフレームグループとビット値の対応関係に基づいて、フィードバックすべきダウンリンクサブフレームグループに対応するビット値を確定し、確定したビット値に基づいてＣＱＩ  ｒｅｑｕｅｓｔ情報を確定し、且つ確定したＣＱＩ  ｒｅｑｕｅｓｔ情報をユーザー装置に通知するか、
または、
前記第１処理モジュールが、ダウンリンクサブフレーム集合とビット値の対応関係に基づいて、フィードバックすべきダウンリンクサブフレーム集合に対応するビット値を確定し、確定したビット値に基づいてＣＱＩ  ｒｅｑｕｅｓｔ情報を確定し、且つ確定したＣＱＩ  ｒｅｑｕｅｓｔ情報をユーザー装置に通知する、ことを備え、
１つのダウンリンクサブフレーム集合には、少なくとも１つのダウンリンクサブフレームグループが含まれることを特徴とするチャネル測定を設定するネットワーク側装置。
【請求項１５】
動的なＴＤＤシステムにおけるダウンリンクチャネル状態情報（ＤＬ  ＣＳＩ）をフィードバックするユーザー装置であって、
前記ユーザー装置は、
ネットワーク側装置からのダウンリンクサブフレームグループに対応するチャネル測定設定情報を受信し、ダウンリンクサブフレームグループは、スケジューリングすべきサブフレーム伝送方向と、目標セルの隣接強干渉セルのサブフレーム構成情報とに基づいてネットワーク側装置が分割するグループである受信モジュールと、
チャネル測定設定情報に基づいてＤＬ  ＣＳＩ測定を行い、且つネットワーク側装置に測定結果をフィードバックする第２処理モジュールとを備え、
前記第２処理モジュールがネットワーク側装置に測定結果をフィードバックすることは、
前記第２処理モジュールが、前記ネットワーク側装置からのトリガーを受信した後、受信した前記ネットワーク側装置からのアップリンクグラント（ＵＬ  ｇｒａｎｔ）におけるチャネル品質指標リクエスト（ＣＱＩ  ｒｅｑｕｅｓｔ）情報に基づいて、フィードバックが必要と確定した後、測定結果をフィードバックすることであり、
前記ＣＱＩ  ｒｅｑｕｅｓｔ情報の長さは、複数のビットであり、
前記第２処理モジュールが測定結果をフィードバックすることは、
前記第２処理モジュールが、ダウンリンクサブフレームグループとビット値の対応関係に基づいて、ＣＱＩ  ｒｅｑｕｅｓｔ情報のビット値に対応するダウンリンクサブフレームグループを確定し、且つ確定したダウンリンクサブフレームグループにおけるＤＬ  ＣＳＩ測定サブフレームにより測定したＤＬ  ＣＳＩをフィードバックするか、
または、
前記第２処理モジュールが、ダウンリンクサブフレーム集合とビット値の対応関係に基づいて、ＣＱＩ  ｒｅｑｕｅｓｔ情報のビット値に対応するダウンリンクサブフレーム集合を確定し、且つ、確定したダウンリンクサブフレーム集合内のダウンリンクサブフレームグループにおけるＤＬ  ＣＳＩ測定サブフレームにより測定したＤＬ  ＣＳＩをフィードバックする、ことを備え、
ここで、１つのダウンリンクサブフレーム集合には、少なくとも１つのダウンリンクサブフレームグループが含まれることを特徴とするダウンリンクチャネル状態情報（ＤＬ  ＣＳＩ）をフィードバックするユーザー装置。
【発明の詳細な説明】
【技術分野】
【０００１】
本発明は、無線通信分野に関し、特にチャネル測定及びダウンリンク（ＤＬ）チャネル状態情報（Ｃｈａｎｎｅｌ  Ｓｔａｔｅ  Ｉｎｆｏｒｍａｔｉｏｎ，ＣＳＩ）フィードバックの方法、システム及び装置に関する。
【背景技術】
【０００２】
本出願は、２０１２年５月１８日に中国特許局に提出し、出願番号が２０１２１０１５７２９２．０であり、発明名称が「チャネル測定及びＤＬ  ＣＳＩフィードバックの設定方法、システム及び装置」との中国特許出願を基礎とする優先権を主張し、その開示の総てをここに取り込む。
セルラーシステムに用いられる２つの基本複信モードのうち、時分割複信（Ｔｉｍｅ  ｄｉｖｉｓｉｏｎ  ｄｕｐｌｅｘ，ＴＤＤ）モードは、アップリンク／ダウンリンクが同一帯域において、異なる時間間隔でアップリンク／ダウンリンク信号の伝送を行うモードを指し、アップリンク／ダウンリンクの間に保護間隔（Ｇｕａｒｄ  Ｐｅｒｉｏｄ，ＧＰ）がある。
また、周波数分割複信（Ｆｒｅｑｕｅｎｃｙ  ｄｉｖｉｓｉｏｎ  ｄｕｐｌｅｘ，ＦＤＤ）モードは、アップリンク／ダウンリンクが異なる帯域において、同一時刻で異なる周波数キャリア上で、アップリンク／ダウンリンク信号を伝送することができ、アップリンク／ダウンリンクの間に保護周波数帯（Ｇｕａｒｄ  Ｂａｎｄ，ＧＢ）があるモードを指す。
【０００３】
ロング・ターム・エボリューション（Ｌｏｎｇ  Ｔｅｒｍ  Ｅｖｏｌｕｔｉｏｎ，ＬＴＥ）ＴＤＤシステムのフレーム構造は、少し複雑で、図１に示すように、１つの無線フレームの長さは、１０ｍｓであり、特殊サブフレーム及び通常サブフレームであるサブフレーム合計１０個を含み、且つ各サブフレームが１ｍｓである。
特殊サブフレームは、ダウンリンク・パイロット・タイムスロット（Ｄｏｗｎｌｉｎｋ  Ｐｉｌｏｔ  Ｔｉｍｅ  Ｓｌｏｔ，ＤｗＰＴＳ）と、ダウンリンク及びアップリンク間に用いる保護間隔（ＧＰ）と、アップリンク・パイロット・タイムスロット（Ｕｐｌｉｎｋ  Ｐｉｌｏｔ  Ｔｉｍｅ  Ｓｌｏｔ，ＵｐＰＴＳ）との３つのサブフレームに分けられる。
通常サブフレームは、アップリンクサブフレーム及びダウンリンクサブフレームを含み、アップリンク／ダウンリンク制御チャネル及びトラフィック・データ等を伝送する。
１つの無線フレームにおいて、２つの特殊サブフレーム（サブフレーム１及び６に位置する）が設定してもよいし、１つの特殊サブフレーム（サブフレーム１に位置する）が設定してもよい。サブフレーム０、サブフレーム５及び特殊サブフレームにおけるＤｗＰＴＳサブフレームは、ダウンリンク伝送に用いられる。サブフレーム２及び特殊サブフレームにおけるＵｐＰＴＳサブフレームは、常にアップリンク伝送に用いられ、他のサブフレームは、ニーズに応じてアップリンク伝送用、または、ダウンリンク伝送用のサブフレームとして設定される。
【０００４】
ＴＤＤシステムにおけるアップリンク及びダウンリンク伝送には、同一の周波数リソースを利用し、異なるサブフレーム上でアップリンク／ダウンリンク信号を伝送する。３Ｇの時間分割同期符号分割多元接続（Ｔｉｍｅ  Ｄｉｖｉｓｉｏｎ  Ｓｙｎｃｈｒｏｎｉｚｅｄ  Ｃｏｄｅ  Ｄｉｖｉｓｉｏｎ  Ｍｕｌｔｉｐｌｅ  Ａｃｃｅｓｓ，ＴＤ−ＳＣＤＭＡ）システム及び４ＧのＴＤ−ＬＴＥシステムも含む通常のＴＤＤシステムにおいて、アップリンク及びダウンリンクサブフレームの分割は、静的（ｓｔａｔｉｃ）または半静的（ｓｅｍｉ−ｓｔａｔｉｃ）に行われ、一般的には、ネットワークネットワークを計画する際に、セルのタイプ及び大まかなトラフィック比例によって、アップリンク／ダウンリンクサブフレームの比例分割を確定し、且つそのままに維持する。これは、マクロセルのカバリッジ背景の場合は、簡単且つ効果的であるが、技術の発展と伴い、ますます多くの、ピコセル（Ｐｉｃｏ  ｃｅｌｌ）、Ｈｏｍｅ  ＮｏｄｅＢ等の低電力の基地局は、局部のカバリッジを提供するように設定される。このようなセルには、ユーザー数が少ないし、且つユーザートラフィックに対する要求がずいぶん変わってきて、セルのアップリンク／ダウンリンクのトラフィック比例に対する要求は、動的に変化している。
【０００５】
マルチセルネットワーキングの場合、従来のＴＤＤネットワークには、異なるセルが同一のアップリンク／ダウンリンク構成を用いるため、アップリンクサブフレーム、またはダウンリンクサブフレームにおいて、基地局またはＵＥは、図２Ａまたは図２Ｂに示すような隣接セルからの干渉を受ける。
【０００６】
Ｔｙｐｅ  １の隣接セルからの干渉
隣接セルにおいて、ともにダウンリンク伝送を行うサブフレームにおいて、本セルのＵＥのダウンリンク受信は、隣接セルの基地局ダウンリンク信号からの干渉を受ける。
【０００７】
Ｔｙｐｅ  ２の隣接セルからの干渉
隣接セルにおいて、ともにアップリンク伝送を行うサブフレームにおいて、本セルの基地局が受信したＵＥアップリンク信号は、隣接セルのＵＥアップリンク信号からの干渉を受ける。
【０００８】
同時に、マルチセルネットワーキングにおいて、隣接セルに異なるアップリンク／ダウンリンク比例が設定される場合、図３のような交差タイムスロット干渉が起きる可能性がある。
図３において、マクロセルによりダウンリンク信号を送信するタイムスロットにおいて、Ｐｉｃｏ  ｃｅｌｌがアップリンク信号を受信すれば、２つのセルの間に２つのタイプの干渉が起きる。
【発明の概要】
【発明が解決しようとする課題】
【０００９】
動的なＴＤＤシステムには、固定伝送方向及び可変伝送方向のサブフレームがある。各可変サブフレームには、隣接セルの伝送方向が柔軟的且つ変化可能であり、且つ本セルに１つ以上の強干渉隣接セルがあるため、本セルで受けた干渉タイプも異なる可能性がある。極端の場合、各可変サブフレームが、本セルでダウンリンク伝送に用いられる場合受けた隣接セルからの干渉もそれぞれである。動的なＴＤＤシステムの異なるダウンリンクサブフレームで受ける隣接セル干渉が異なることが原因で、実際のチャネル状況は差が著しく出る。あるダウンリンクサブフレームで測定したＤＬ  ＣＳＩは、他の、異なる隣接セル干渉状況を有するダウンリンクサブフレームに適用できない。例えば、固定ダウンリンクサブフレームで測定したＣＳＩは、可変ダウンリンクサブフレームに適用できなかったり、ある可変ダウンリンクサブフレームで測定したＣＳＩは、他の可変ダウンリンクサブフレームに適用できない。上述原因で、現在ＬＴＥ  Ｒｅｌ−８／９／１０に用いられるチャネル測定及びフィードバック方法の設定方法は、動的なＴＤＤシステムに適用できない。
【００１０】
総じて、現在動的なＴＤＤシステムには、チャネル測定及びＤＬ  ＣＳＩフィードバックの設定方法が存在しない。
【００１１】
本発明にかかる実施形態は、チャネル測定の設定方法及び装置を提供し、動的なＴＤＤシステムにチャネル測定を設定する。
【００１２】
本発明にかかる実施形態は、ＤＬ  ＣＳＩフィードバックの方法、システム及び装置を提供し、動的なＴＤＤシステムにおいてＤＬ  ＣＳＩフィードバックを実施する。
【課題を解決するための手段】
【００１３】
本発明にかかる実施形態により提供するチャネル測定の設定方法は、ネットワーク側装置が、ダウンリンクサブフレーム上の干渉状況に基づいて、ダウンリンクサブフレームを複数のダウンリンクサブフレームグループに分割するステップと、ネットワーク側装置が、ダウンリンクサブフレームグループに対応するチャネル測定設定情報をユーザー装置に通知するステップとを備える。
【００１４】
本発明にかかる実施形態により提供するダウンリンクチャネル状態情報（ＤＬ  ＣＳＩ）のフィードバック方法は、ユーザー装置が、ネットワーク側装置からの、ダウンリンクサブフレームグループに対応するチャネル測定設定情報を受信するステップと、前記ユーザー装置が、チャネル測定設定情報に基づいてＤＬ  ＣＳＩ測定を行い、且つネットワーク側装置に測定結果をフィードバックするステップとを備える。
前記ダウンリンクサブフレームグループは、ネットワーク側装置がダウンリンクサブフレーム上の干渉状況に基づいて分割されたグループである。
【００１５】
本発明にかかる実施形態により提供する、チャネル測定を設定するネットワーク側装置は、ダウンリンクサブフレーム上の干渉状況に基づいて、ダウンリンクサブフレームを複数のダウンリンクサブフレームグループに分割する分割モジュールと、ダウンリンクサブフレームグループに対応するチャネル測定設定情報をユーザー装置に通知する第１処理モジュールとを備える。
【００１６】
本発明にかかる実施形態により提供するダウンリンクチャネル状態情報（ＤＬ  ＣＳＩ）をフィードバックするユーザー装置は、ネットワーク側装置からのダウンリンクサブフレームグループに対応するチャネル測定設定情報を受信する受信モジュールと、チャネル測定設定情報に基づいてＤＬ  ＣＳＩ測定を行い、且つネットワーク側装置に測定結果をフィードバックする第２処理モジュールとを備える。
前記ダウンリンクサブフレームグループは、ネットワーク側装置がダウンリンクサブフレーム上の干渉状況により分割されるグループである。
【００１７】
本発明にかかる実施形態により提供するダウンリンクチャネル状態情報（ＤＬ  ＣＳＩ）をフィードバックするシステムは、ダウンリンクサブフレーム上の干渉状況に基づいて、ダウンリンクサブフレームを複数のダウンリンクサブフレームグループに分割し、ダウンリンクサブフレームグループに対応するチャネル測定設定情報をユーザー装置に通知するネットワーク側装置と、ネットワーク側装置からのダウンリンクサブフレームグループに対応するチャネル測定設定情報を受信し、チャネル測定設定情報に基づいてＤＬ  ＣＳＩ測定を行い、且つネットワーク側装置に測定結果をフィードバックするユーザー装置とを備える。
【発明の効果】
【００１８】
ネットワーク側装置が、ダウンリンクサブフレーム上の干渉状況に基づいて分割した複数のダウンリンクサブフレームグループに対応するチャネル測定設定情報をユーザー装置に通知するため、動的なＴＤＤシステムにおいてチャネル測定を設定できるようになる。
ユーザー装置チャネル測定設定情報に基づいてＤＬ  ＣＳＩ測定を行い、且つネットワーク側装置に測定結果をフィードバックするために、動的なＴＤＤシステムにおいてＤＬ  ＣＳＩフィードバックを行なうことができるようになる。
【図面の簡単な説明】
【００１９】
【図１】図１はＴＤ−ＬＴＥシステムフレームの構造図である。
【図２Ａ】図２Ａは、Ｔｙｐｅ  １のＴＤＤ場合の、同一タイムスロット構成の、隣接セル干渉を示す図である。
【図２Ｂ】図２Ｂは、Ｔｙｐｅ  ２のＴＤＤ場合の、同一タイムスロット構成の、隣接セル干渉を示す図である。
【図３】図３は、ＴＤＤ交差タイムスロット場合の、隣接セル干渉を示す図である。
【図４Ａ】図４Ａは、本発明にかかる実施形態の第１種サブフレームの構造図である。
【図４Ｂ】図４Ｂは、本発明にかかる実施形態の第２種サブフレームの構造図である。
【図５】図５は、本発明にかかる実施形態の、ＤＬ  ＣＳＩフィードバックを行うシステムの構造図である。
【図６】図６は、本発明にかかる実施形態の、ＤＬ  ＣＳＩフィードバックを行うシステムにおけるネットワーク側装置の構造図である。
【図７】図７は、本発明にかかる実施形態の、ＤＬ  ＣＳＩフィードバックを行うシステムにおけうユーザー装置の構造図である。
【図８】図８は、本発明にかかる実施形態の、ＤＬ  ＣＳＩフィードバックを行うシステムにおける方法フローチャートである。
【図９】図９は、本発明にかかる実施形態チャネル測定の設定方法フローチャートである。
【発明を実施するための形態】
【００２０】
本発明にかかる実施形態のダウンリンクサブフレーム上の干渉状況に基づいて、ダウンリンクサブフレームを複数のダウンリンクサブフレームグループに分割し、且つダウンリンクサブフレームグループに対応するチャネル測定設定情報をユーザー装置に通知する。
ネットワーク側装置が、ダウンリンクサブフレーム上の干渉状況に基づいて分割した複数のダウンリンクサブフレームグループに対応するチャネル測定設定情報を、ユーザー装置に通知するため、動的なＴＤＤシステムにおいてチャネル測定を設定できるようになる。
【００２１】
本発明にかかる実施形態のユーザー装置は、ネットワーク側装置からのダウンリンクサブフレームグループに対応するチャネル測定設定情報を受信し、チャネル測定設定情報に基づいてＤＬ  ＣＳＩ測定を行い、且つネットワーク側装置に測定結果をフィードバックする。ユーザー装置が、チャネル測定設定情報に基づいてＤＬ  ＣＳＩ測定を行い、且つネットワーク側装置に測定結果をフィードバックするため、動的なＴＤＤシステムにおいてＤＬ  ＣＳＩフィードバックを行なうことができる。さらに、ネットワーク側装置が異なる干渉状況のダウンリンクサブフレームのＤＬ  ＣＳＩを正確に獲得てき、且つＣＳＩに基づいて、干渉状況が類似するダウンリンクサブフレームのスケジューリングを行なうようになる。これにより、動的なＴＤＤシステムにおける異なるサブフレームの隣接セル干渉状況が著しく変化する状況場合のＤＬ  ＣＳＩ獲得問題を解決し、システム機能を向上できる。
【００２２】
本発明にかかる実施形態のＤＬ  ＣＳＩは、チャネル品質指標（Ｃｈａｎｎｅｌ  Ｑｕａｌｉｔｙ  Ｉｎｄｉｃａｔｏｒ，ＣＱＩ）と、プリーコーディングマトリ指標（Ｐｒｅ−ｃｏｄｉｎｇ  Ｍａｔｒｉｘ  Ｉｎｄｉｃａｔｏｒ，ＰＭＩ）と、ランク指標（Ｒａｎｋ  Ｉｎｄｉｃａｔｉｏｎ，ＲＩ）と、他の任意のダウンリンクチャネル品質を反映できるフィードバック情報とのうちの少なくとも１つを含むが、それに限られない。
【００２３】
本発明にかかる実施形態に関わるアップリンク型構成の無線フレームは、可変サブフレームと、ダウンリンク固定サブフレームと、アップリンク固定サブフレームと、特殊サブフレームとを含む。
ここで、ダウンリンク固定サブフレームは、伝送方向がダウンリンク方向であり、且つ伝送方向が変化しないサブフレームと、特殊サブフレーム内のダウンリンク・パイロット・タイムスロットとである。
アップリンク固定サブフレームは、伝送方向がアップリンク方向であり、且つ伝送方向が変化しないサブフレームである。
可変サブフレームは、伝送方向が変化できるサブフレームである。
可変サブフレームは、アップリンク可変サブフレームと、ダウンリンク可変サブフレームとをさらに含む。
アップリンク可変サブフレームは、アップリンク伝送用として確定した可変サブフレームである。
ダウンリンク可変サブフレームは、ダウンリンク伝送用として確定した可変サブフレームである。
【００２４】
本発明にかかる実施形態の特殊サブフレーム内のアップリンク・パイロット・タイムスロットは、背景技術における特殊サブフレーム内のアップリンク・パイロット・タイムスロットと機能が同一であるため、この以上説明しない。
【００２５】
本発明にかかる実施形態は、ＴＤＤシステム（例えば、ＴＤ−ＬＴＥシステム）に適用できるし、他の動的に調整する必要があるサブフレームアップリンク／ダウンリンク構成のシステムにも適用できる。
例えば、ＴＤ−ＳＣＤＭＡシステム及びその後のアドバーンストシステム、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）システム及びその後のアドバーンストシステム等にも適用できる。
【００２６】
より多いダウンリンクサブフレームの使用をサポートするため、１つの無線フレームに１つのみの固定アップリンクサブフレームを設定し、即ちサブフレーム２をアップリンク固定サブフレームとして設定し、サブフレーム０とサブフレーム５をダウンリンク固定サブフレームとして設定し、サブフレーム１を特殊サブフレームとして設定し、サブフレーム６を特殊サブフレームまたはダウンリンクサブフレーム（伝送方向がダウンリンクであるサブフレーム）として設定し、他のサブフレームを可変サブフレームとして設定する。
【００２７】
ここで、サブフレーム７がアップリンクサブフレーム（即ち、サブフレーム７は、伝送方向がアップリンクである可変サブフレームであり、即ち、アップリンク可変サブフレームである）である場合、サブフレーム６は、特殊サブフレームであり、図４Ａに示す無線フレーム構造を参照する。
【００２８】
サブフレーム７がダウンリンクサブフレーム（即ち、サブフレーム７は、伝送方向がダウンリンクである可変サブフレームであり、即ち、ダウンリンク可変サブフレームである）である場合、サブフレーム６は、ダウンリンクサブフレーム（即ち伝送方向がダウンリンクであるサブフレームである）であり、図４Ｂに示すような無線フレーム構造を有する。当該フレーム構造において、サポートできる最大ダウンリンク（ＤＬ）サブフレームとアップリンク（ＵＬ）サブフレームの比例が９：１であるため、動的なＴＤＤシステムにおけるリソース適応の動的な範囲がさらに広くなり、サービス変化によりよく応じられるようになる。
【００２９】
ここで、本発明にかかる実施形態ネットワーク側装置が、ダウンリンクサブフレーム上の干渉状況に基づいて、ダウンリンクサブフレームを複数のダウンリンクサブフレームグループに分割する場合、スケジューリングすべくサブフレーム伝送方向と、目標セルの隣接強干渉セルのサブフレーム構成情報とに基づいて、１つの無線フレーム内のサブフレームを、複数のダウンリンクサブフレームグループに分ける。
【００３０】
好ましくは、ネットワーク側装置は、仕様（１）、仕様（２）及び仕様（３）のうちの１つに基づいて目標セルの隣接セルが強干渉セルであるかを判断する。
【００３１】
仕様（１）
ネットワーク側装置は、検出した目標セルの隣接セルの信号強度に基づいて、目標セルの隣接セルが強干渉セルであるかを判断する。例えば、信号強度を閾値と比較し、閾値より大きければ、当該セルが強干渉セルであるとみなす。
【００３２】
仕様（２）
ネットワーク側装置は、目標セルに属するユーザー装置により報告した強干渉セルに対応するセル識別子に基づいて、目標セルの隣接セルが強干渉セルであるかを判断する。
例えば、ユーザー装置が目標セルの隣接セルの信号強度を検出ことを規定する。信号強度が閾値より大きければ、当該セルのセル識別子を報告し、係わるネットワーク側装置は、セル識別子を受信した後、対応するセルを強干渉セルとする。
【００３３】
仕様（３）
ネットワーク側装置が目標セルの隣接セルからの通知情報を受信した後、当該セルが目標セルの隣接強干渉セルであることを確定する。
ここで、通知情報は、目標セルの隣接セルが、受信した目標セルからの信号強度に基づいて自身が目標セルの強干渉セルであると確定した後に送信した情報である。例えば、隣接セルは、被干渉セルの信号を測定することができ、経路損失が小さければ、自身が当該セルの強干渉セルであると認識して、ネットワークインタフェースのシグナリングにより当該セルに通知する。
【００３４】
ここで説明しようとするのは、本発明にかかる実施形態は、前述の３つの仕様に限られず、目標セルの隣接セルが強干渉セルであるかを判断できる他の仕様も同様に本発明にかかる実施形態に適用できる。
【００３５】
好ましくは、ネットワーク側装置は、インタフェースシグナリングにより目標セルの隣接強干渉セルのサブフレーム構成情報を獲得することができ、目標セルの隣接強干渉セルのサブフレーム構成情報を自ら検出して獲得することもできる。
もちろん、サブフレーム構成情報を獲得できる他の仕様も本発明にかかる実施形態に適用できる。例えば、ユーザー装置が獲得した後にネットワーク側装置に通知する。
【００３６】
実施において、ネットワーク側装置は、セルにおける伝送方向がダウンリンクであるか、またはダウンリンク・パイロット・タイムスロットを含む固定サブフレームを、１つのダウンリンクサブフレームグループに分割し、且つ、目標セルにおける伝送方向がダウンリンクである可変サブフレームを少なくとも１つのダウンリンクサブフレームグループに分割する。
【００３７】
例えば、ＴＤＤの７つのサブフレーム構成において、１つの無線フレームにおけるすべてのダウンリンクサブフレームを２種類に分割する。１種類は、隣接セルの設定方向が変化しないサブフレームであり、他の１種類は、隣接セルの設定方向が変化する可能性があるサブフレーム  （サブフレーム番号は、１つの無線フレーム内のサブフレーム番号であり、即ち、Ｎ  ＝  ｛０，１，２，・・・９｝）である。
【００３８】
隣接セルの設定方向が変化しないサブフレームは、例えば、各無線フレームにおけるサブフレーム０，１，２，５，６である。
ここで、サブフレーム０，１，５，６は、ダウンリンクサブフレーム（または、ダウンリンク・パイロット・タイムスロットを含むサブフレーム）として決められ、サブフレーム２は、アップリンクサブフレームとして決められる。サブフレーム０，１，５，６である４つのダウンリンクサブフレームは、隣接セル干渉が全部基地局からのダウンリンク干渉であるため、基地局がこれらのサブフレームで受けた干渉はほぼ同じとみなすことができる。よって、ダウンリンクサブフレーム０，１，５，６を１つのダウンリンクサブフレームグループに分割し、そして、目標セルにおける伝送方向がダウンリンクである可変サブフレームを少なくとも１つのダウンリンクサブフレームグループに分割する。
例えば、各無線フレームにおけるサブフレーム３，４，７，８，９は、可変サブフレームであり、サブフレーム３，４，７，８，９を分割して得るダウンリンクサブフレームグループ数は、サブフレーム３，４，７，８，９におけるダウンリンクサブフレーム数より大きくない。
【００３９】
好ましくは、ネットワーク側装置は、可変サブフレームを２種類の可変サブフレームに分けることができる。第１種の可変サブフレームは、強干渉セルにおける伝送方向が全部ダウンリンクである可変サブフレームである。第２種の可変サブフレームは、一部強干渉セルにおける伝送方向がダウンリンクである可変サブフレームである。
【００４０】
そして、ネットワーク側装置は、第１種の可変サブフレームを１つのダウンリンクサブフレームグループに分割し、第２種の可変サブフレームを少なくとも１つのダウンリンクサブフレームグループに分割する。分割後の各ダウンリンクサブフレームグループにおける第２種の可変サブフレームは、各強干渉セルにおける伝送方向は、全部同様である。
【００４１】
具体的に、現在サブフレームにおける全部の隣接セルの方向は、全部目標セルと同様であれば、即ち全部ダウンリンクであれば、当該サブフレームとサブフレーム０，１，５，６を同一のダウンリンクサブフレームグループに分け、例えば、１つのダウンリンクサブフレームグループにする。
【００４２】
現在サブフレームにおける１つまたは複数の隣接セルの方向が目標セルと異なる場合、複数の干渉方向の組み合わせを得られる。同一干渉方向を有するサブフレームを同一のダウンリンクサブフレームグループに入れ、少なくとも１つの集合を得られる。
【００４３】
目標セルがサブフレーム構造５であると仮説すれば、２つの強干渉隣接セルがあり、タイムスロット構成はそれぞれ構成１と構成２である。図１に示すようである  
【００４４】
【表１】
0006293737.tif 000002
【００４５】
サブフレーム０，１，５，６は、目標セルにおける伝送方向がダウンリンクであるか、またはダウンリンク・パイロット・タイムスロットを含む固定サブフレームである。
サブフレーム３，４，７，８，９は、目標セルにおける伝送方向がダウンリンクである可変サブフレームであり、サブフレーム９は、セル１及びセル２における伝送方向がともにダウンリンクであるため、サブフレーム９は第１種の可変サブフレームであり、サブフレーム９を１つのダウンリンクサブフレームグループに入れ、当該ダウンリンクサブフレームグループは、サブフレーム０，１，５，６，９を含むことになる。
サブフレーム３，４，７，８に対応する、セル１及びセル２における伝送方向の組み合わせは、それぞれ（Ｕ，Ｄ），（Ｄ，Ｄ），（Ｕ，Ｕ），（Ｕ，Ｄ）である。
【００４６】
サブフレーム３及びサブフレーム８の、セル１及びセル２における伝送方向の組み合わせはともに（Ｕ，Ｄ）であるため、サブフレーム３及びサブフレーム８を１つのダウンリンクサブフレームグループに分割し、サブフレーム４を１つの集合に分割し、サブフレーム７を１つのダウンリンクサブフレームグループに分割する。
【００４７】
前述の方法以外、本発明にかかる実施形態は、各ダウンリンクサブフレームをそれぞれ１つのダウンリンクサブフレームグループとすることもできるし、固定サブフレームを１グループに分割し、可変サブフレームを１グループに分割することもできる。
【００４８】
ここで説明しようとするのは、本発明にかかる実施形態は、前述の分割仕様に限られず、ダウンリンクサブフレーム上の干渉状況に基づいてダウンリンクサブフレームグループに分割できる他の仕様は、全部本発明にかかる実施形態に適用できる。
【００４９】
以下、図面を参照しながら本発明にかかる実施形態を詳細に説明する。
【００５０】
以下の説明において、まず、ネットワーク側とユーザー装置側の両側実施角度から説明し、最後にネットワーク側及びユーザー装置側それぞれ単側の実施角度から説明するが、ネットワーク側とユーザー装置側が必ず両側実施する必要があるとの意味ではない。実に、ネットワーク側及びユーザー装置側それぞれ単側の実施も、ネットワーク側、ユーザー装置側それぞれに存在する問題を解決できるが、両側統合実施すればよりよい技術効果を得られる。
【００５１】
図５に示すように、本発明にかかる実施形態の、ＤＬ  ＣＳＩフィードバックを行うシステムは、ネットワーク側装置１０及びユーザー装置２０を備える。
【００５２】
当該ネットワーク側装置１０は、ダウンリンクサブフレーム上の干渉状況に基づいて、ダウンリンクサブフレームを複数のダウンリンクサブフレームグループに分割し、ダウンリンクサブフレームグループに対応するチャネル測定設定情報をユーザー装置２０に通知する。
【００５３】
当該ユーザー装置２０は、ネットワーク側装置からのダウンリンクサブフレームグループに対応するチャネル測定設定情報を受信し、チャネル測定設定情報に基づいてＤＬ  ＣＳＩ測定を行い、且つネットワーク側装置に測定結果をフィードバックする。
【００５４】
実施において、ネットワーク側装置１０により分割したダウンリンクサブフレームグループのチャネル測定設定情報は、必ず同一のユーザー装置２０に通知することではない。ニーズに応じて、ネットワーク側装置１０は、ダウンリンクサブフレームグループのチャネル測定設定情報を選択してユーザー装置２０に通知することができる。
例えば、ダウンリンクサブフレームグループ１、２、３、４、５のうち、ダウンリンクサブフレームグループ１及び２のチャネル測定設定情報をユーザー装置ａに通知し、ダウンリンクサブフレームグループ３のチャネル測定設定情報をユーザー装置ｂに通知し、ダウンリンクサブフレームグループ４及び５のチャネル測定設定情報をユーザー装置ｃに通知する。
ユーザー装置は、チャネル測定設定情報に基づいて係わる測定及びフィードバックを行えばよい、統計のグループ数を知らなくてもよい。
【００５５】
ここで、本発明にかかる実施形態は、周期的及び非周期的なＤＬ  ＣＳＩフィードバックを提供し、以下で説明する。
【００５６】
一、周期的なＤＬ  ＣＳＩフィードバック
具体的に、ネットワーク側装置１０は、ダウンリンクサブフレームグループに含まれるダウンリンクサブフレームをユーザー装置２０に通知する。
これに応じて、ユーザー装置２０は、ネットワーク側装置からのダウンリンクサブフレームグループに含まれるダウンリンクサブフレームの通知を受信する。
【００５７】
例えば、ネットワーク側装置１０は、高位層シグナリングにより、ユーザー装置２０に、各グループに含まれるダウンリンクサブフレームを通知する。
【００５８】
好ましくは、ネットワーク側装置１０は、周期的なＣＳＩフィードバック周期、フィードバックサブフレーム及びフィードバックチャネルリソースを、当該ダウンリンクサブフレームグループに対応するチャネル測定設定情報とし、且つシグナリングにより、チャネル測定設定情報をユーザー装置２０に通知する。
【００５９】
具体的に、ネットワーク側装置１０は、ダウンリンクサブフレームグループに対応する周期的なＣＳＩフィードバック周期、フィードバックサブフレーム及びフィードバックチャネルリソースを確定し、確定したダウンリンクサブフレームグループに対応する周期的なＣＳＩフィードバック周期、フィードバックサブフレーム及びフィードバックチャネルリソースを、当該ダウンリンクサブフレームグループに対応するチャネル測定設定情報とする。
これに応じて、ユーザー装置２０は、周期的なＣＳＩフィードバック周期に基づいて、フィードバックチャネルリソースを介して、フィードバックサブフレーム上で、対応するダウンリンクサブフレームグループにおいて測定したＤＬ  ＣＳＩをフィードバックする。
【００６０】
ここで、フィードバックチャネルリソースは、ＰＵＣＣＨチャネル番号、例えばＰＵＣＣＨ  ｆｏｒｍａｔ  ２またはＰＵＣＣＨ  ｆｏｒｍａｔ  ３とのチャネル番号であってもよいし、ＰＵＳＣＨリソースであってもよい。
【００６１】
具体的なフィードバック仕様は幾つかがあるが、以下で例を挙げる。
【００６２】
［フィードバック仕様１］
ネットワーク側装置１０は、少なくとも２つのダウンリンクサブフレームグループにフィードバックチャネルリソース（例えば、一部同一、全部同一、全部異なる）、同一のＣＳＩフィードバック周期及び異なるフィードバックサブフレーム（例えば、一部同一、又は全部異なる）を割り当てる。
【００６３】
ユーザー装置２０は、いつも対応するサブフレーム位置で、対応する１つのサブフレームグループにおいて測定したＤＬ  ＣＳＩをフィードバックする。
【００６４】
例えば、ユーザー装置２０は、サブフレームｎにおいて、サブフレームｎ−ｋｉ上で測定した、フィードバックサブフレームに対応するダウンリンクサブフレームグループのＤＬ  ＣＳＩをフィードバックする。
ここで、ｋｉ≧ｍであり、ｍは、サブフレームを単位とするユーザー装置の処理時間であり、且つサブフレームｎ−ｋｉは、サブフレームｎから一番近いダウンリンクサブフレームグループにおけるダウンリンクサブフレームであり、ｉはＮより小なりイコール正整数であり、Ｎはダウンリンクサブフレームグループ数である。
【００６５】
ここで、ユーザー装置の処理時間は、ユーザー装置のシグナリングに対する受信・処理制御時間、ＣＳＩ測定時間、アップリンク送信のための準備時間等（後続のユーザー装置の処理時間は、これと同様であり、重複説明をしない）が含む。例えば、一般ユーザー装置の処理時間は、４つのサブフレームの長さであり、即ち４ｍｓである。
【００６６】
例えば、ダウンリンクサブフレームグループ１及びダウンリンクサブフレームグループ２との２つグループにおいて、ユーザー装置２０は、サブフレームｎにおいて、サブフレームｎ−ｋ１において測定したＤＬ  ＣＳＩをフィードバックする。
ここで、ｋ１≧４であり、且つｎ−ｋ１は、ｎから一番近い、サブフレームグループ１に属するダウンリンクサブフレームである。
ユーザー装置２０は、サブフレームｍにおいて、サブフレームｍ−ｋ２において測定したＤＬ  ＣＳＩをフィードバックする。
ここで、ｋ２≧４であり、且つｍ−ｋ２は、ｍから一番近い、サブフレームグループ２に属するダウンリンクサブフレームである。
【００６７】
［フィードバック仕様２］
ネットワーク側装置１０は、少なくとも２つのダウンリンクサブフレームグループに、フィードバックチャネルリソース（例えば、一部同一、全部同一又は全部異なる）、異なるＣＳＩフィードバック周期（例えば、一部同一、又は全部異なる）及び異なるフィードバックサブフレーム（例えば、一部同一、又は全部異なる）を割り当てる。
【００６８】
ユーザー装置２０は、いつも対応するサブフレーム位置で、対応する１つのサブフレームグループにおいて測定したＤＬ  ＣＳＩをフィードバックする。
【００６９】
例えば、ユーザー装置２０は、サブフレームｎにおいて、サブフレームｎ−ｋｉにおいて測定した、フィードバックサブフレームに対応するダウンリンクサブフレームグループのＤＬ  ＣＳＩをフィードバックする。
ここで、ｋｉ≧ｍであり、ｍは、サブフレームを単位とするユーザー装置の処理時間であり、且つサブフレームｎ−ｋｉは、サブフレームｎから最近のダウンリンクサブフレームグループにおけるダウンリンクサブフレームであり、ｉは、Ｎより小なりイコールの正整数であり、Ｎはダウンリンクサブフレームグループの数である。
【００７０】
例えば、ダウンリンクサブフレームグループ１及びダウンリンクサブフレームグループ２との２つグループにおいて、ユーザー装置２０は、サブフレームｎにおいて、サブフレームｎ−ｋ１において測定したＤＬ  ＣＳＩをフィードバックする。
ここで、ｋ１≧４であり、ｎ−ｋ１は、ｎから一番近い、サブフレームグループ１に属するダウンリンクサブフレームである。
ユーザー装置２０は、サブフレームｍにおいて、サブフレームｍ−ｋ２において測定したＤＬ  ＣＳＩをフィードバックする。
ここで、ｋ２≧４であり、且つｍ−ｋ２は、ｍから一番近い、サブフレームグループ２に属するダウンリンクサブフレームである。
【００７１】
特に、ｍ＝ｎである場合、ユーザー装置２０は、１つのサブフレームグループのＤＬ  ＣＳＩを放棄し、１つのみのサブフレームグループのＤＬ  ＣＳＩをフィードバックする。
即ち、１つのフィードバックサブフレームに複数のダウンリンクサブフレームグループが対応すれば、ユーザー装置２０は、当該フィードバックサブフレームにより複数のダウンリンクサブフレームグループにおける１つのダウンリンクサブフレームグループにおいて測定したＤＬ  ＣＳＩをフィードバックする。
【００７２】
［フィードバック仕様３］
ネットワーク側装置１０は、少なくとも２つのダウンリンクサブフレームグループに、同一のＣＳＩフィードバック周期、同一のフィードバックサブフレーム及び同一のフィードバックチャネルリソースを割り当てる。
【００７３】
ユーザー装置２０は、いつも対応するサブフレーム位置で対応する１つのサブフレームグループにおいて測定したＤＬ  ＣＳＩをフィードバックする。
【００７４】
例えば、ユーザー装置２０は、サブフレームｎにおいて、サブフレームｎ−ｋｉにおいて測定した、フィードバックサブフレームに対応するダウンリンクサブフレームグループのＤＬ  ＣＳＩをフィードバックする。
ここで、ｋｉ≧ｍであり、ｍは、サブフレームを単位とするユーザー装置の処理時間であり、且つサブフレームｎ−ｋｉは、サブフレームｎから一番近いダウンリンクサブフレームグループにおけるダウンリンクサブフレームであり、ｉは、Ｎより小なりイコールの正整数であり、Ｎは、ダウンリンクサブフレームグループ数である。
【００７５】
例えば、ダウンリンクサブフレームグループ１及びダウンリンクサブフレームグループ２との２つのグループにおいて、同一のＣＳＩフィードバック周期、同一のフィードバックサブフレーム及び同一のフィードバックチャネルリソース設定され、ユーザー装置２０は、サブフレームｎにおいてサブフレームｎ−ｋ１及びｎ−ｋ２において測定したＤＬ  ＣＳＩをフィードバックする。
ここで、ｋ１≧４であり、ｋ２≧４であり、且つｎ−ｋ２はｎから一番近い、サブフレームグループ１に属するダウンリンクサブフレームであり、ｎ−ｋ２は、ｎから一番近い、サブフレームグループ２に属するダウンリンクサブフレームである。
即ち、１つのフィードバックサブフレームに複数のダウンリンクサブフレームグループが対応すれば、ユーザー装置２０は、当該フィードバックサブフレームにより、対応する各ダウンリンクサブフレームグループにおいて測定したＤＬ  ＣＳＩをフィードバックする。
【００７６】
［フィードバック仕様４］
フィードバック仕様３とフィードバック仕様１またはフィードバック仕様２と結合し、２つ以上のダウンリンクサブフレームグループがある場合、ネットワーク側装置１０は、ダウンリンクサブフレームグループを、複数のサブフレーム集合にさらに分割し、各サブフレーム集合には、１つまたは１つの以上のダウンリンクサブフレームグループが含まれる。
各サブフレーム集合においてフィードバック仕様３を使用し、サブフレーム集合の間でフィードバック仕様１またはフィードバック仕様２を使用する。
【００７７】
好ましくは、フィードバック仕様１及びフィードバック仕様２の場合ＰＵＣＣＨ  ｆｏｒｍａｔ  ２を使用し、フィードバック仕様３の場合ＰＵＣＣＨ  ｆｏｒｍａｔ３またはＰＵＳＣＨを使用する。
【００７８】
二、非周期的なＤＬ  ＣＳＩフィードバック
具体的に、ネットワーク側装置１０は、各ダウンリンクサブフレームグループのために、ＤＬ  ＣＳＩ測定サブフレームを設定し、且つシグナリングによりユーザー装置２０に通知し、ユーザー装置２０は、係わるダウンリンクサブフレームにおいてＤＬ  ＣＳＩを測定する。
【００７９】
ＤＬ  ＣＳＩ測定サブフレームを設定する仕様は、具多的に以下で説明する。
【００８０】
［設定仕様１］
ネットワーク側装置１０は、各ダウンリンクサブフレームグループに含まれるダウンリンクサブフレーム及び各ダウンリンクサブフレームグループに対応するＣＳＩ測定周期を当該ダウンリンクサブフレームグループに対応するチャネル測定設定情報とする。
【００８１】
これに応じて、ユーザー装置２０は、１つのダウンリンクサブフレームグループから１つのダウンリンクサブフレームをＤＬ  ＣＳＩ測定サブフレームとして選択し、対応するＣＳＩ測定周期に基づいてＤＬ  ＣＳＩ測定を行う。
【００８２】
具体的に、ネットワーク側装置１０は、シグナリングによりサブフレームグループ分け状況をユーザー装置２０に通知する。例えば、高位層シグナリングにより、各グループに含まれるダウンリンクサブフレームをユーザー装置２０に通知する。
ネットワーク側装置１０は、各サブフレームグループのためにダウンリンクＣＳＩ測定周期を設定し、且つシグナリングによりユーザー装置に通知する。
ユーザー装置２０は、各周期内において、各ダウンリンクサブフレームグループから１つのダウンリンクサブフレームを選択してＤＬ  ＣＳＩ測定を行い、且つ測定結果を記憶する。
【００８３】
［設定仕様２］
ネットワーク側装置１０は、各ＣＳＩ測定サブフレームとダウンリンクサブフレームグループの対応関係、及びダウンリンクサブフレームグルの対応ＣＳＩ測定周期を、当該ダウンリンクサブフレームグルの対応チャネル測定設定情報とする。
ここで、１つのＣＳＩ測定サブフレームは、１つのダウンリンクサブフレームグループに対応する。
【００８４】
ＣＳＩ測定サブフレームは、周期的に繰り返すために、ここの１つのＣＳＩ測定サブフレームが１つのダウンリンクサブフレームグループに対応するとは、同一のサブフレーム番号が１つのダウンリンクサブフレームグループに対応することを指す。
例えば、１０ｍｓを周期とし、本周期のダウンリンクサブフレームａは、ダウンリンクサブフレームグループａと対応し、次回の周期のダウンリンクサブフレームａもダウンリンクサブフレームグループａに対応する。
【００８５】
これに応じて、ユーザー装置２０は、対応するＣＳＩ測定周期に基づいて、ダウンリンクサブフレームグループに対応するＤＬ  ＣＳＩ測定サブフレームにより、ＤＬ  ＣＳＩ測定を行う。
【００８６】
具体的に、ネットワーク側装置１０は、シグナリングにより、１つ以上のＣＳＩ測定サブフレームをユーザー装置２０に直接通知し、各ＣＳＩ測定サブフレームは、１つのダウンリンクサブフレームグループに対応する。
例えば、高位層シグナリングにより、各ダウンリンクサブフレームグループに対応するＣＳＩ測定サブフレーム周期、チャネル測定設定情報をユーザー装置に通知する。
異なるダウンリンクサブフレームグループに対応するＣＳＩ測定サブフレーム周期及びサブフレーム番号は、独立のシグナリング構成を使用する。
ユーザー装置２０は、各ダウンリンクサブフレームグループに対応するＣＳＩ測定サブフレームにおいて、ＤＬ  ＣＳＩ測定を周期的に行い、且つ、測定結果を記憶する。
【００８７】
非周期的なフィードバックであるため、ネットワーク側装置１０は、ダウンリンクサブフレームグループに、ＤＬ  ＣＳＩ測定サブフレームを設定した後、ユーザー装置２０が少なくとも１つのダウンリンクサブフレームグループのＤＬ  ＣＳＩをフィードバックするようにトリガーする必要がある。
これに応じて、ユーザー装置２０がネットワーク側装置からのトリガーを受信した後、測定結果をフィードバックする。
【００８８】
好ましくは、ネットワーク側装置１０は、ＵＬ  ｇｒａｎｔにおけるＣＱＩ  ｒｅｑｕｅｓｔ情報を介して、ユーザー装置２０が、係わるＰＵＳＣＨリソースにおいて、少なくとも１つのダウンリンクサブフレームグループのＤＬ  ＣＳＩをフィードバックするようにトリガーする。
これに応じて、ユーザー装置２０は、受信したネットワーク側装置のＵＬ  ｇｒａｎｔにおけるＣＱＩ  ｒｅｑｕｅｓｔ情報に基づいて、フィードバックが必要と確定した後、測定結果をフィードバックする。
【００８９】
ＵＬ  ｇｒａｎｔにおけるＣＱＩ  ｒｅｑｕｅｓｔ情報を介してトリガーする仕様は多様であるが、以下幾つかの例を挙げる。
【００９０】
トリガー仕様１
ＣＱＩ  ｒｅｑｕｅｓｔ情報が１ビットを占有すれば、当該ビットは、フィードバックをトリガーするかを示す。
【００９１】
好ましくは、ＣＱＩ  ｒｅｑｕｅｓｔ情報を搬送するＵＬ  ｇｒａｎｔがサブフレームｎのＰＵＳＣＨ伝送（即ちＵＬ  ｇｒａｎｔがサブフレームｎにおけるＰＵＳＣＨ伝送をスケジューリングする）をスケジューリングし、且つＣＱＩ  ｒｅｑｕｅｓｔ情報がＣＳＩフィードバックが必要と示す場合、ユーザー装置２０は、当該ＰＵＳＣＨにおいて、サブフレームｎにより、サブフレームｎ−ｋにおいて測定したＤＬ  ＣＳＩをフィードバックする。
ここで、ｋ≧ｍであり、ｍは、サブフレームを単位とするユーザー装置の処理時間であり、且つサブフレームｎ−ｋサブフレームｎから一番近いＤＬ  ＣＳＩ測定サブフレームである。
【００９２】
例えば、ビットが１であれば、ＤＬ  ＣＳＩフィードバックをトリガーする。
ビットが０であれば、ＤＬ  ＣＳＩフィードバックをトリガーしない。
ＣＱＩ  ｒｅｑｕｅｓｔ情報を搬送するＵＬ  ｇｒａｎｔがＰＵＳＣＨのサブフレームｎにより伝送する場合、ユーザー装置２０は、当該ＰＵＳＣＨにおいて、サブフレームｎにより、サブフレームｎ−ｋにおいて測定したＤＬ  ＣＳＩをフィードバックする。
ここで、ｋ≧４であり、且つサブフレームｎ−ｋは、サブフレームｎから一番近いＤＬ  ＣＳＩ測定サブフレームであり、いつもＰＵＳＣＨにおいて１つのみのダウンリンクサブフレームグループのＤＬ  ＣＳＩを、フィードバックする。
【００９３】
トリガー仕様２
ＣＱＩ  ｒｅｑｕｅｓｔ情報が１ビットを占有すれば、当該ビットは、フィードバックをトリガーするかを示す。
好ましくは、ＣＱＩ  ｒｅｑｕｅｓｔ情報を搬送するＵＬ  ｇｒａｎｔがサブフレームｎのＰＵＳＣＨ伝送をスケジューリングし、且つＣＱＩ  ｒｅｑｕｅｓｔ情報が、ＣＳＩフィードバックが必要と示す場合、ユーザー装置２０は、当該ＰＵＳＣＨにおいて、サブフレームｎにより、サブフレームｎ−ｋｉにおいて測定したＤＬ  ＣＳＩをそれぞれフィードバックする。
ここで、ｋｉ≧ｍであり、ｍは、サブフレームを単位とするユーザー装置の処理時間であり、且つサブフレームｎ−ｋｉは、サブフレームｎから一番近い第ｉ個のダウンリンクサブフレームグループにおけるＤＬ  ＣＳＩ測定サブフレームであり、ｉはＮより小なりイコールの正整数であり、Ｎはダウンリンクサブフレームグループ数である。
【００９４】
例えば、ダウンリンクサブフレームグループ１及びダウンリンクサブフレームグループ２との２つのグループにおいて、ビットが１であれば、ＤＬ  ＣＳＩフィードバックをトリガーし、ビットが０であれば、ＤＬ  ＣＳＩフィードバックをトリガーしない。
ＣＱＩ  ｒｅｑｕｅｓｔ情報を搬送するＵＬ  ｇｒａｎｔがＰＵＳＣＨのサブフレームｎにより伝送する場合、ユーザー装置２０は、当該ＰＵＳＣＨにおいて、サブフレームｎにより、サブフレームｎ−ｋ１及びｎ−ｋ２において測定したＤＬ  ＣＳＩをフィードバックする。
ここで、ｋ１，ｋ２≧４であり、且つサブフレームｎ−ｋ１は、サブフレームｎから一番近いダウンリンクサブフレームグループ１のＤＬ  ＣＳＩ測定サブフレームであり、ｎ−ｋ２は、サブフレームｎから一番近いダウンリンクサブフレームグループ２のＤＬ  ＣＳＩ測定サブフレームであり、いつもＰＵＳＣにおいて、複数のダウンリンクサブフレームグループのＤＬ  ＣＳＩをＨフィードバックする。
【００９５】
トリガー仕様３
ＣＱＩ  ｒｅｑｕｅｓｔ情報は、複数のビット長さを有し、ＣＱＩ  ｒｅｑｕｅｓｔ情報の多様なビット組み合わせにより、ユーザー装置がどちらのダウンリンクサブフレームに対応するＤＬ  ＣＳＩをフィードバックするように指示する。
【００９６】
具体的に、ネットワーク側装置１０は、ダウンリンクサブフレームグループとビット値の対応関係に基づいて、ダウンリンクサブフレームグループに対応するフィードバックすべくビット値を確定し、確定したビット値に基づいてＣＱＩ  ｒｅｑｕｅｓｔ情報を確定し、且つ確定したＣＱＩ  ｒｅｑｕｅｓｔ情報をユーザー装置２０に通知する。
【００９７】
これに応じて、ユーザー装置２０は、ダウンリンクサブフレームグループとビット値の対応関係に基づいて、ＣＱＩ  ｒｅｑｕｅｓｔ情報のビット値に対応するダウンリンクサブフレームグループを確定し、且つ確定したダウンリンクサブフレームグループにおけるＤＬ  ＣＳＩ測定サブフレームにより測定したＤＬ  ＣＳＩをフィードバックする。
【００９８】
好ましくは、ＣＱＩ  ｒｅｑｕｅｓｔ情報を搬送するＵＬ  ｇｒａｎｔがサブフレームｎのＰＵＳＣＨ伝送をスケジューリングし、且つＣＱＩ  ｒｅｑｕｅｓｔ情報がＣＳＩフィードバックが必要と示す場合、ユーザー装置２０は、当該ＰＵＳＣＨにおいて、サブフレームｎにより、サブフレームｎ−ｋｉにおいて測定したＤＬ  ＣＳＩをフィードバックする。
ここで、ｋｉ≧ｍであり、ｍは、サブフレームを単位とするユーザー装置の処理時間であり、且つサブフレームｎ−ｋｉはサブフレームｎから一番近い第ｉ個のダウンリンクサブフレームグループにおけるＤＬ  ＣＳＩ測定サブフレームであり、ｉはＮより小なりイコールの正整数であり、且つｉは、ＣＱＩ  ｒｅｑｕｅｓｔ情報によりトリガーする、フィードバックすべくダウンリンクサブフレームグループナンバであり、Ｎはダウンリンクサブフレームグループ数である。
【００９９】
２ビットの例を挙げ、図２のように、ＣＱＩ  ｒｅｑｕｅｓｔ情報を搬送するＵＬ  ｇｒａｎｔがＰＵＳＣＨのサブフレームｎにより伝送する場合、ユーザー装置２０は、当該ＰＵＳＣＨにおいて、サブフレームｎにより、サブフレームｎ−ｋ１及び／またはｎ−ｋ２において測定したＤＬ  ＣＳＩをフィードバックする。
ここで、ｋ１，ｋ２≧４であり、且つサブフレームｎ−ｋ１は、サブフレームｎから一番近いダウンリンクサブフレームグループ１のＤＬ  ＣＳＩ測定サブフレームであり、ｎ−ｋ２は、サブフレームｎから一番近いダウンリンクサブフレームグループ２のＤＬ  ＣＳＩ測定サブフレームである。いつもＰＵＳＣＨにおいて、１つまたは複数のダウンリンクサブフレームグループのＤＬ  ＣＳＩをフィードバックする。  
【０１００】
【表２】
0006293737.tif 000003
【０１０１】
トリガー仕様４
ＣＱＩ  ｒｅｑｕｅｓｔ情報は複数のビット長さを有する。ダウンリンクサブフレームグループが多ければ、ダウンリンクサブフレームグループをさらに集合に分割し、１つの集合には、１つ以上のダウンリンクサブフレームグループが含まれる。且つ、ＣＱＩ  ｒｅｑｕｅｓｔ情報の多様なビット組み合わせにより、ユーザー装置が、どちらの集合におけるダウンリンクサブフレームグループのＤＬ  ＣＳＩをフィードバックするように指示する。
【０１０２】
具体的に、ネットワーク側装置１０は、ダウンリンクサブフレーム集合とビット値の対応関係に基づいて、フィードバックすべくダウンリンクサブフレーム集合に対応するビット値を確定する。確定したビット値に基づいてＣＱＩ  ｒｅｑｕｅｓｔ情報を確定し、且つ確定したＣＱＩ  ｒｅｑｕｅｓｔ情報をユーザー装置２０に通知する。
ここで、１つのダウンリンクサブフレーム集合には、少なくとも１つのダウンリンクサブフレームグループが含まれる。
【０１０３】
これに応じて、ユーザー装置２０は、ダウンリンクサブフレーム集合とビット値の対応関係に基づいて、ＣＱＩ  ｒｅｑｕｅｓｔ情報のビット値に対応するダウンリンクサブフレーム集合を確定し、且つ、確定したダウンリンクサブフレーム集合内のダウンリンクサブフレームグループにおけるＤＬ  ＣＳＩ測定サブフレームにより測定したＤＬ  ＣＳＩをフィードバックする。
ここで、１つのダウンリンクサブフレーム集合には、少なくとも１つのダウンリンクサブフレームグループが含まれる。
【０１０４】
好ましくは、ＣＱＩ  ｒｅｑｕｅｓｔ情報を搬送するＵＬ  ｇｒａｎｔがサブフレームｎのＰＵＳＣＨ伝送をスケジューリングし、且つＣＱＩ  ｒｅｑｕｅｓｔ情報がＣＳＩフィードバックが必要と示す場合、ユーザー装置２０は、当該ＰＵＳＣＨにおいて、サブフレームｎにより、サブフレームｎ−ｋｉにおいて測定したＤＬ  ＣＳＩをフィードバックする。
ここで、ｋｉ≧ユーザー装置の処理時間であり、且つサブフレームｎ−ｋｉは、サブフレームｎから一番近い第ｉ個ダウンリンクサブフレームグループにおけるＤＬ  ＣＳＩ測定サブフレームであり、ｉはＮより小なりイコールの正整数であり、且つｉは、ＣＱＩ  ｒｅｑｕｅｓｔ情報によりトリガーする、フィードバックすべくダウンリンクサブフレームグループナンバであり、Ｎはダウンリンクサブフレームグループ数である。
【０１０５】
ＣＱＩ  ｒｅｑｕｅｓｔ情報が２ビットであり、且つ４つのダウンリンクサブフレームグループに分割することを例とする。
表３に示すように、ダウンリンクサブフレームグループ１，２をダウンリンクサブフレーム集合１に分割し、ダウンリンクサブフレームグループ３，４をダウンリンクサブフレーム集合２に分割する。
ＣＱＩ  ｒｅｑｕｅｓｔ情報を搬送するＵＬ  ｇｒａｎｔがＰＵＳＣＨのサブフレームｎにより伝送する場合、ＵＥは、当該ＰＵＳＣＨにおいて、サブフレームｎにより、サブフレームｎ−ｋｉにおいて測定したＤＬ  ＣＳＩをフィードバックする。
ここで、ｋｉ≧４であり、且つサブフレームｎ−ｋｉは、サブフレームｎから一番近いダウンリンクサブフレームグループｉのＤＬ  ＣＳＩ測定サブフレームであり、ｉは、サブグループの番号であり、サブフレームグループｉは、ＣＱＩ  ｒｅｑｕｅｓｔ情報によりトリガーするダウンリンクサブフレーム集合におけるサブフレームグループである。
いつもＰＵＳＣＨにおいて、１つのサブフレーム集合のＤＬ  ＣＳＩをフィードバックし、１つ以上のサブフレームグループのＤＬ  ＣＳＩを含む。
【０１０６】
【表３】
0006293737.tif 000004
【０１０７】
前述の方法により、ネットワーク側装置１０は、ユーザー装置２０のフィードバック情報を受信することにより、ダウンリンクサブフレームグループに対応するダウンリンクＣＳＩ情報を獲得する。
【０１０８】
ここで、本発明にかかる実施形態的ネットワーク側装置は、基地局（例えば、Ｍａｃｒｏ  ｅＮＢ、Ｈｏｍｅ  ｅＮＢ等）であってもよいし、ＲＮ（中継）装置であってもよい、また、他のネットワーク側装置であってもよい。
【０１０９】
図６に示すように、本発明にかかる実施形態により提供する、ＤＬ  ＣＳＩフィードバックを行うシステムにおけるネットワーク側は、分割モジュール６００と、第１処理モジュール６１０とを備える。
【０１１０】
当該分割モジュール６００は、ダウンリンクサブフレーム上の干渉状況に基づいて、ダウンリンクサブフレームを複数のダウンリンクサブフレームグループに分割する。
【０１１１】
当該第１処理モジュール６１０は、ダウンリンクサブフレームグループに対応するチャネル測定設定情報をユーザー装置に通知する。
【０１１２】
好ましくは、第１処理モジュール６１０は、ダウンリンクサブフレームグループに含まれるダウンリンクサブフレームをユーザー装置に通知する。
【０１１３】
好ましくは、第１処理モジュール６１０は、ダウンリンクサブフレームグループに対応する周期的なチャネル状態情報（ＣＳＩ）フィードバック周期と、フィードバックサブフレームと、フィードバックチャネルリソースとを確定し、確定したダウンリンクサブフレームグループに対応する周期的なＣＳＩフィードバック周期と、フィードバックサブフレームと、フィードバックチャネルリソースとを、当該ダウンリンクサブフレームグループに対応するネル測定設定情報とする。
【０１１４】
好ましくは、第１処理モジュール６１０は、少なくとも２つのダウンリンクサブフレームグループに、フィードバックチャネルリソース、同一のＣＳＩフィードバック周期及び異なるフィードバックサブフレームを割り当てる。
【０１１５】
好ましくは、第１処理モジュール６１０は、少なくとも２つのダウンリンクサブフレームグループに、同一のＣＳＩフィードバック周期、同一のフィードバックサブフレーム及び同一のフィードバックチャネルリソースを割り当てる。
【０１１６】
好ましくは、第１処理モジュール６１０は、ダウンリンクサブフレームグループに含まれるダウンリンクサブフレームと、ダウンリンクサブフレームグルに対応する測定周期を、当該ダウンリンクサブフレームグルに対応するチャネル測定設定情報とし、ＣＳＩ測定サブフレームとダウンリンクサブフレームグループの対応関係、及びダウンリンクサブフレームグルに対応する測定周期を、当該ダウンリンクサブフレームグルに対応するチャネル測定設定情報とする。
ここで、１つのＣＳＩ測定サブフレームは、１つのダウンリンクサブフレームグループに対応する。
【０１１７】
好ましくは、第１処理モジュール６１０は、ユーザー装置が少なくとも１つのダウンリンクサブフレームグループのダウンリンクＤＬ  ＣＳＩをフィードバックするようにトリガーする。
【０１１８】
好ましくは、第１処理モジュール６１０は、ＵＬ  ｇｒａｎｔにおけるＣＱＩ  ｒｅｑｕｅｓｔ情報を介して、ガーユーザー装置が少なくとも１つのダウンリンクサブフレームグループのダウンリンクＤＬ  ＣＳＩをフィードバックするようにトリガーする。
【０１１９】
ＣＱＩ  ｒｅｑｕｅｓｔ情報の長さが１ビットである場合、当該ビットは、フィードバックをトリガーするかを示す。
【０１２０】
ＣＱＩ  ｒｅｑｕｅｓｔ情報の長さは、複数のビットである。好ましくは、第１処理モジュール６１０は、ダウンリンクサブフレームグループとビット値の対応関係に基づいて、ダウンリンクサブフレームグループに対応するフィードバックすべくビット値を確定し、確定したビット値に基づいてＣＱＩ  ｒｅｑｕｅｓｔ情報を確定し、且つ確定したＣＱＩ  ｒｅｑｕｅｓｔ情報をユーザー装置に通知するか、または、ダウンリンクサブフレーム集合とビット値の対応関係に基づいて、フィードバックすべくダウンリンクサブフレーム集合に対応するビット値を確定し、確定したビット値に基づいてＣＱＩ  ｒｅｑｕｅｓｔ情報を確定し、且つ確定したＣＱＩ  ｒｅｑｕｅｓｔ情報をユーザー装置に通知する。
ここで、１つのダウンリンクサブフレーム集合には、少なくとも１つのダウンリンクサブフレームグループが含まれる。
【０１２１】
図７に示すように、本発明にかかる実施形態により提供するＤＬ  ＣＳＩフィードバックを行うシステムにおけるユーザー装置は、受信モジュール７００と、第２処理モジュール７１０とを備える。
【０１２２】
当該受信モジュール７００は、ネットワーク側装置からのダウンリンクサブフレームグループに対応するチャネル測定設定情報を受信し、ダウンリンクサブフレームグループは、ネットワーク側装置がダウンリンクサブフレーム上の干渉状況により分割されるグループである。
【０１２３】
当該第２処理モジュール７１０は、チャネル測定設定情報に基づいてＤＬ  ＣＳＩ測定を行い、且つネットワーク側装置に測定結果をフィードバックする。
【０１２４】
好ましくは、受信モジュール７００は、ネットワーク側装置からのダウンリンクサブフレームグループに含まれるダウンリンクサブフレームの通知を受信する。
【０１２５】
好ましくは、チャネル測定設定情報は、ダウンリンクサブフレームグループに対応する周期的なＣＳＩフィードバック周期、フィードバックサブフレーム及びフィードバックチャネルリソースを含む。
【０１２６】
好ましくは、第２処理モジュール７１０は、周期的なＣＳＩフィードバック周期に基づいて、フィードバックチャネルリソースにより、フィードバックサブフレームにおいて、対応するダウンリンクサブフレームグループにおいて測定したＤＬ  ＣＳＩをフィードバックする。
【０１２７】
好ましくは、第２処理モジュール７１０は、サブフレームｎにおいて、サブフレームｎ−ｋｉにおいて測定した、フィードバックサブフレームに対応するダウンリンクサブフレームグループのＤＬ  ＣＳＩをフィードバックする。
ここで、ｋｉ≧ｍであり、ｍは、サブフレームを単位とするユーザー装置の処理時間であり、且つサブフレームｎ−ｋｉは、サブフレームｎから一番近いダウンリンクサブフレームグループにおけるダウンリンクサブフレームであり、ｉはＮより小なりイコールの正整数であり、Ｎはダウンリンクサブフレームグループ数である。
【０１２８】
好ましくは、少なくとも２つのダウンリンクサブフレームグループに、同一のＣＳＩフィードバック周期、異なるフィードバックサブフレーム及びフィードバックチャネルリソースを割り当てる。
【０１２９】
好ましくは、各ダウンリンクサブフレームグループに、異なるＣＳＩフィードバック周期、異なるフィードバックサブフレーム及びフィードバックチャネルリソースを割り当てる。
１つのフィードバックサブフレームに複数のダウンリンクサブフレームグループが対応すれば、第２処理モジュール７１０は、当該フィードバックサブフレームにより、複数のダウンリンクサブフレームグループにおける１つのダウンリンクサブフレームグループにおいて測定したＤＬ  ＣＳＩをフィードバックする。
【０１３０】
好ましくは、少なくとも２つのダウンリンクサブフレームグループに、同一のＣＳＩフィードバック周期、同一のフィードバックサブフレーム及び同一のフィードバックチャネルリソースを割り当てる。
１つのフィードバックサブフレームに複数のダウンリンクサブフレームグループが対応すれば、第２処理モジュール７１０は、当該フィードバックサブフレームにより、対応する各ダウンリンクサブフレームグループにおいて測定したＤＬ  ＣＳＩをフィードバックする。
【０１３１】
好ましくは、チャネル測定設定情報は、ダウンリンクサブフレームグループに含まれるダウンリンクサブフレームと、ダウンリンクサブフレームグループに対応するＣＳＩ測定周期とである。
第２処理モジュール７１０は、１つのダウンリンクサブフレームグループから１つのダウンリンクサブフレームをＤＬ  ＣＳＩ測定サブフレームとして選択し、対応するＣＳＩ測定周期に基づいてＤＬ  ＣＳＩ測定を行う。
【０１３２】
好ましくは、チャネル測定設定情報は、ＣＳＩ測定サブフレームとダウンリンクサブフレームグループの対応関係と、対応のＣＳＩ測定周期とである。
ここで、１つのＣＳＩ測定サブフレームは、１つのダウンリンクサブフレームグループに対応する。
第２処理モジュール７１０は、対応するＣＳＩ測定周期に基づいて、ダウンリンクサブフレームグループに対応するＤＬ  ＣＳＩ測定サブフレームにより、ＤＬ  ＣＳＩ測定を行う。
【０１３３】
好ましくは、第２処理モジュール７１０は、ネットワーク側装置からのトリガーを受信した後、測定結果をフィードバックする。
【０１３４】
好ましくは、第２処理モジュール７１０は、受信したネットワーク側装置からのアップリンクグラント（ＵＬ  ｇｒａｎｔ）におけるチャネル品質指標リクエスト（ＣＱＩ  ｒｅｑｕｅｓｔ）情報に基づいて、フィードバックが必要と確定した後、測定結果をフィードバックする。
【０１３５】
好ましくは、ＣＱＩ  ｒｅｑｕｅｓｔ情報の長さが１ビットである場合、当該ビットは、フィードバックをトリガーするかを示す。
【０１３６】
好ましくは、ＣＱＩ  ｒｅｑｕｅｓｔ情報を搬送するＵＬ  ｇｒａｎｔがサブフレームｎのＰＵＳＣＨ伝送をスケジューリングし、且つＣＱＩ  ｒｅｑｕｅｓｔ情報がＣＳＩフィードバックが必要と示す場合、第２処理モジュール７１０は、当該ＰＵＳＣＨにおいて、サブフレームｎにより、サブフレームｎ−ｋにおいて測定したＤＬ  ＣＳＩをフィードバックする。
ここで、ｋ≧ｍであり、ｍは、サブフレームを単位とするユーザー装置の処理時間でありユーザー装置の処理時間であり、且つサブフレームｎ−ｋは、サブフレームｎから一番近いＤＬ  ＣＳＩ測定サブフレームである。
【０１３７】
好ましくは、ＣＱＩ  ｒｅｑｕｅｓｔ情報を搬送するＵＬ  ｇｒａｎｔがサブフレームｎのＰＵＳＣＨ伝送をスケジューリングし、且つＣＱＩ  ｒｅｑｕｅｓｔ情報がＣＳＩフィードバックが必要と示す場合、第２処理モジュール７１０は、当該ＰＵＳＣＨにおいて、サブフレームｎにより、サブフレームｎ−ｋｉにおいて測定したＤＬ  ＣＳＩをそれぞれフィードバックする。
ここで、ｋｉ≧ｍであり、ｍは、サブフレームを単位とするユーザー装置の処理時間であり、且つサブフレームｎ−ｋｉはサブフレームｎから一番近い第ｉ個ダウンリンクサブフレームグループにおけるＤＬ  ＣＳＩ測定サブフレームであり、ｉはＮより小なりイコールの正整数であり、Ｎはダウンリンクサブフレームグループ数である。
【０１３８】
好ましくは、ＣＱＩ  ｒｅｑｕｅｓｔ情報の長さは、複数のビットである。
第２処理モジュール７１０は、ダウンリンクサブフレームグループとビット値の対応関係に基づいて、ＣＱＩ  ｒｅｑｕｅｓｔ情報のビット値に対応するダウンリンクサブフレームグループを確定し、且つ確定したダウンリンクサブフレームグループにおけるＤＬ  ＣＳＩ測定サブフレームにより測定したＤＬ  ＣＳＩをフィードバックするか、または、ダウンリンクサブフレーム集合とビット値の対応関係に基づいて、ＣＱＩ  ｒｅｑｕｅｓｔ情報のビット値に対応するダウンリンクサブフレーム集合を確定し、且つ、確定したダウンリンクサブフレーム集合内のダウンリンクサブフレームグループにおけるＤＬ  ＣＳＩ測定サブフレームにより測定したＤＬ  ＣＳＩをフィードバックする。
ここで、１つのダウンリンクサブフレーム集合には、少なくとも１つのダウンリンクサブフレームグループが含まれる。
【０１３９】
好ましくは、ＣＱＩ  ｒｅｑｕｅｓｔ情報を搬送するＵＬ  ｇｒａｎｔがサブフレームｎのＰＵＳＣＨ伝送をスケジューリングし、且つＣＱＩ  ｒｅｑｕｅｓｔ情報がＣＳＩフィードバックが必要と示す場合、第２処理モジュール７１０は、当該ＰＵＳＣＨにおいて、サブフレームｎにより、サブフレームｎ−ｋｉにおいて測定したＤＬ  ＣＳＩをフィードバックする。
ここで、ｋｉ≧ｍであり、ｍは、サブフレームを単位とするユーザー装置の処理時間であり、且つサブフレームｎ−ｋｉはサブフレームｎから一番近い第ｉ個ダウンリンクサブフレームグループにおけるＤＬ  ＣＳＩ測定サブフレームであり、ｉはＮより小なりイコールの正整数であり、且つｉは、ＣＱＩ  ｒｅｑｕｅｓｔ情報によりトリガーする、フィードバックすべくダウンリンクサブフレームグループナンバであり、Ｎはダウンリンクサブフレームグループ数である。
【０１４０】
同様な発明思想に基づいて、本発明にかかる実施形態は、ＤＬ  ＣＳＩフィードバック方法及びチャネル測定の設定方法を提供する。これらの方法の課題解決原理は、本発明にかかる実施形態により提供するＤＬ  ＣＳＩフィードバックのシステムと類似するため、これらの方法の実施は、システムの実施を参照することができ、繰り返す部分については、この以上説明しない。
【０１４１】
図８に示すように、本発明にかかる実施形態のチャネル測定の設定方法は、ステップ８０１と、ステップ８０２とを備える。
【０１４２】
ステップ８０１において、ネットワーク側装置は、ダウンリンクサブフレーム上の干渉状況に基づいて、ダウンリンクサブフレームを複数のダウンリンクサブフレームグループに分割する。
【０１４３】
ステップ８０２、ネットワーク側装置が、ダウンリンクサブフレームグループに対応するチャネル測定設定情報をユーザー装置に通知する。
【０１４４】
実施する際に、ネットワーク側装置により分割したダウンリンクサブフレームグループのチャネル測定設定情報は、必ず同一のユーザー装置に通知するわけではない。ニーズに応じて、ネットワーク側装置は、どちらのダウンリンクサブフレームグループのチャネル測定設定情報をユーザー装置に通知するかを選択することができる。
【０１４５】
ここで、本発明にかかる実施形態は、周期的なＤＬ  ＣＳＩフィードバックと、非周期的なＤＬ  ＣＳＩフィードバックとの２つのＤＬ  ＣＳＩフィードバック方法を提供し、以下で説明する。
【０１４６】
一、周期的なＤＬ  ＣＳＩフィードバック
具体的に、ステップ８０１において、ネットワーク側装置は、ダウンリンクサブフレームグループに含まれるダウンリンクサブフレームをユーザー装置に通知する。
【０１４７】
好ましくは、ステップ８０２において、ネットワーク側装置は、周期的なＣＳＩフィードバック周期、フィードバックサブフレーム及びフィードバックチャネルリソースを、当該ダウンリンクサブフレームグループに対応するネル測定設定情報とし、且つ、シグナリングにより、チャネル測定設定情報を、ユーザー装置に通知する。
【０１４８】
具体的に、ネットワーク側装置は、ダウンリンクサブフレームグループに対応する周期的なＣＳＩフィードバック周期、フィードバックサブフレーム及びフィードバックチャネルリソースを確定し、確定したダウンリンクサブフレームグループに対応する周期的なＣＳＩフィードバック周期、フィードバックサブフレーム及びフィードバックチャネルリソースを、当該ダウンリンクサブフレームグループに対応するネル測定設定情報とする。
【０１４９】
フィードバック仕様は多様であるが、以下幾つかの例を挙げる。
【０１５０】
フィードバック仕様１
ネットワーク側装置は、少なくとも２つのダウンリンクサブフレームグループに、フィードバックチャネルリソース（例えば、一部同一、全部同一又は全部異なる）、同一のＣＳＩフィードバック周期及び異なるフィードバックサブフレーム（例えば、一部同一、又は全部異なる）を割り当てる。
【０１５１】
フィードバック仕様２
ネットワーク側装置は、少なくとも２つのダウンリンクサブフレームグループに、フィードバックチャネルリソース（例えば、一部同一、全部同一又は全部異なる）、異なるＣＳＩフィードバック周期（例えば、一部同一、又は全部異なる）及び異なるフィードバックサブフレーム（例えば、一部同一、又は全部異なる）を割り当てる。
【０１５２】
フィードバック仕様３
ネットワーク側装置は、少なくとも２つのダウンリンクサブフレームグループに、同一のＣＳＩフィードバック周期、同一のフィードバックサブフレーム及び同一のフィードバックチャネルリソースを割り当てる。
【０１５３】
フィードバック仕様４
フィードバック仕様４は、フィードバック仕様３とフィードバック仕様１またはフィードバック仕様２との結合であり、２つ以上のダウンリンクサブフレームグループがある場合、ネットワーク側装置は、ダウンリンクサブフレームグループを複数のサブフレーム集合にさらに分割し、各サブフレーム集合には、１つまたは１つ以上のダウンリンクサブフレームグループが含まれる。
各サブフレーム集合においてフィードバック仕様３を用い、サブフレーム集合の間にフィードバック仕様１またはフィードバック仕様２を用いる。
【０１５４】
二、非周期的なＤＬ  ＣＳＩフィードバック
具体的に、ネットワーク側装置は、各ダウンリンクサブフレームグループのために、ＤＬ  ＣＳＩ測定サブフレームを設定し、且つ、シグナリングによりユーザー装置に通知する。
【０１５５】
ＤＬ  ＣＳＩ測定サブフレームを設定する方法は、設定仕様１と、設定仕様２とを有し、以下で説明する。
【０１５６】
設定仕様１
ネットワーク側装置は、各ダウンリンクサブフレームグループに含まれるダウンリンクサブフレーム及び各ダウンリンクサブフレームグルに対応するＣＳＩ測定周期を、当該ダウンリンクサブフレームグループに対応するチャネル測定設定情報とする。
【０１５７】
設定仕様２
ネットワーク側装置は、各ＣＳＩ測定サブフレームとダウンリンクサブフレームグループの対応関係、及びダウンリンクサブフレームグルに対応するＣＳＩ測定周期を、当該ダウンリンクサブフレームグループに対応するチャネル測定設定情報とする。
ここで、１つのＣＳＩ測定サブフレームは、１つのダウンリンクサブフレームグループに対応する。
【０１５８】
非周期フィードバックであるため、ネットワーク側装置は、各ダウンリンクサブフレームグループのためにＤＬ  ＣＳＩ測定サブフレームを設定した後に、ユーザー装置が少なくとも１つのダウンリンクサブフレームグループのダウンリンクＤＬ  ＣＳＩをフィードバックするようにトリガーする必要がある。
【０１５９】
好ましくは、ステップ８０３の後、ネットワーク側装置は、ＵＬ  ｇｒａｎｔにおけるＣＱＩ  ｒｅｑｕｅｓｔ情報を介して、ユーザー装置が、係わるＰＵＳＣＨリソースにおいて、少なくとも１つのダウンリンクサブフレームグループのＤＬ  ＣＳＩをフィードバックするようにトリガーする。
【０１６０】
ＵＬ  ｇｒａｎｔにおけるＣＱＩ  ｒｅｑｕｅｓｔ情報を介してトリガーする仕様は多様であるが、以下幾つかの例を挙げる。
【０１６１】
ＣＱＩ  ｒｅｑｕｅｓｔ情報が１ビットを占有すれば、当該ビットは、フィードバックをトリガーするかを示す。
【０１６２】
ＣＱＩ  ｒｅｑｕｅｓｔ情報の長さは複数のビットであり、ＣＱＩ  ｒｅｑｕｅｓｔ情報の複数のビット組み合わせにより、どちらのダウンリンクサブフレームに対応するＤＬ  ＣＳＩをフィードバックかをユーザー装置に指示する。
【０１６３】
具体的に、ネットワーク側装置は、ダウンリンクサブフレームグループとビット値の対応関係に基づいて、ダウンリンクサブフレームグループに対応するフィードバックすべくビット値を確定し、確定したビット値に基づいてＣＱＩ  ｒｅｑｕｅｓｔ情報を確定し、且つ確定したＣＱＩ  ｒｅｑｕｅｓｔ情報をユーザー装置に通知する。
【０１６４】
トリガー仕様４
ＣＱＩ  ｒｅｑｕｅｓｔ情報の長さは複数のビットである。
ダウンリンクサブフレームグループが多ければ、ダウンリンクサブフレームグループをさらに集合に分割し，１つの集合には、１つ以上のダウンリンクサブフレームグループが含まれる。且つ、ＣＱＩ  ｒｅｑｕｅｓｔ情報の多様なビット組み合わせにより、どちらの集合におけるダウンリンクサブフレームグループのＤＬ  ＣＳＩをフィードバックするかをユーザー装置に指示する。
【０１６５】
具体的に、ネットワーク側装置は、ダウンリンクサブフレーム集合とビット値の対応関係に基づいて、フィードバックすべくダウンリンクサブフレーム集合に対応するビット値を確定する、確定したビット値に基づいてＣＱＩ  ｒｅｑｕｅｓｔ情報を確定し、且つ確定したＣＱＩ  ｒｅｑｕｅｓｔ情報をユーザー装置に通知する。
ここで、１つのダウンリンクサブフレーム集合には、少なくとも１つのダウンリンクサブフレームグループが含まれる。
【０１６６】
前述の方法に基づいて、ネットワーク側装置は、ユーザー装置からのフィードバック情報を受信することにより、各ダウンリンクサブフレームグループに対応するダウンリンクＣＳＩ情報を獲得する。
【０１６７】
図９に示すように、本発明にかかる実施形態により提供するＤＬ  ＣＳＩフィードバック方法は、ステップ９０１と、ステップ９０２とを備える。
【０１６８】
当該ステップ９０１において、ユーザー装置は、ネットワーク側装置からの、ダウンリンクサブフレームグループに対応するチャネル測定設定情報を受信し、ダウンリンクサブフレームグループは、ネットワーク側装置がダウンリンクサブフレーム上の干渉状況に基づいて分割されたグループである。
【０１６９】
ステップ９０２において、ユーザー装置は、チャネル測定設定情報に基づいてＤＬ  ＣＳＩ測定を行い、且つネットワーク側装置に測定結果をフィードバックする。
【０１７０】
ここで、本発明にかかる実施形態は、周期的なＤＬ  ＣＳＩフィードバックと、非周期的なＤＬ  ＣＳＩフィードバックとの２つのＤＬ  ＣＳＩフィードバック方法を提供し、以下で説明する。
【０１７１】
一、周期的なＤＬ  ＣＳＩフィードバック。
ユーザー装置は、ネットワーク側装置からのダウンリンクサブフレームグループに含まれるダウンリンクサブフレームの通知を受信する。
【０１７２】
好ましくは、ネットワーク側装置は、周期的なＣＳＩフィードバック周期、フィードバックサブフレーム及びフィードバックチャネルリソースを、当該ダウンリンクサブフレームグループに対応するネル測定設定情報とする。
これに応じて、ユーザー装置は、周期的なＣＳＩフィードバック周期に基づいて、フィードバックチャネルリソースにより、フィードバックサブフレームにおいて、対応するダウンリンクサブフレームグループにおいて測定したＤＬ  ＣＳＩをフィードバックする。
【０１７３】
具体的フィードバック仕様は、多様であり、以下で幾つかの例を挙げる。
【０１７４】
フィードバック仕様１
ネットワーク側装置は、少なくとも２つのダウンリンクサブフレームグループに、フィードバックチャネルリソース（例えば、一部同一、全部同一又は全部異なる）、同一のＣＳＩフィードバック周期及び異なるフィードバックサブフレーム（例えば、一部同一、又は全部異なる）を割り当てる。
【０１７５】
ユーザー装置は、いつも対応するサブフレーム位置で対応する１つのサブフレームグループにおいて測定したＤＬ  ＣＳＩをフィードバックする。
【０１７６】
フィードバック仕様２
ネットワーク側装置は、少なくとも２つのダウンリンクサブフレームグループに、フィードバックチャネルリソース（例えば、一部同一、全部同一又は全部異なる）、異なるＣＳＩフィードバック周期（例えば、一部同一、又は全部異なる）及び異なるフィードバックサブフレーム（例えば、一部同一、又は全部異なる）を割り当てる。
【０１７７】
ユーザー装置は、いつも対応するサブフレーム位置で対応する１つのサブフレームグループにおいて測定したＤＬ  ＣＳＩをフィードバックする。
【０１７８】
１つのフィードバックサブフレームに複数のダウンリンクサブフレームグループが対応すれば、ユーザー装置は、当該フィードバックサブフレームにより、複数のダウンリンクサブフレームグループにおける１つのダウンリンクサブフレームグループにおいて測定したＤＬ  ＣＳＩをフィードバックする。
【０１７９】
フィードバック仕様３
ネットワーク側装置は、少なくとも２つのダウンリンクサブフレームグループに、同一のＣＳＩフィードバック周期、同一のフィードバックサブフレーム及び同一のフィードバックチャネルリソースを割り当てる。
【０１８０】
ユーザー装置は、いつも対応するサブフレーム位置で対応する１つのサブフレームグループにおいて測定したＤＬ  ＣＳＩをフィードバックする。
【０１８１】
１つのフィードバックサブフレームに複数のダウンリンクサブフレームグループが対応すれば、ユーザー装置は、当該フィードバックサブフレームにより、対応する各ダウンリンクサブフレームグループにおいて測定したＤＬ  ＣＳＩをフィードバックする。
【０１８２】
フィードバック仕様４
フィードバック仕様４は、フィードバック仕様３とフィードバック仕様１またはフィードバック仕様２の結合であり、２つ以上のダウンリンクサブフレームグループがある場合、ネットワーク側装置は、ダウンリンクサブフレームグループを複数のサブフレーム集合にさらに分割し、各サブフレーム集合には、１つまたは１つ以上のダウンリンクサブフレームグループが含まれる。
【０１８３】
各サブフレーム集合においてフィードバック仕様３を用い、サブフレーム集合の間には、フィードバック仕様１またはフィードバック仕様２を用いる。
【０１８４】
二、非周期的なＤＬ  ＣＳＩフィードバック
ネットワーク側装置は、各ダウンリンクサブフレームグループに、ＤＬ  ＣＳＩ測定サブフレームを割り当て、ユーザー装置は、係わるダウンリンクサブフレームにおいてＤＬ  ＣＳＩを測定する。
【０１８５】
ＤＬ  ＣＳＩ測定サブフレームの設定仕様は２つがあり、以下で説明する。
【０１８６】
設定仕様１
ネットワーク側装置は、各ダウンリンクサブフレームグループに含まれるダウンリンクサブフレーム及び各ダウンリンクサブフレームグルに対応するＣＳＩ測定周期を、当該ダウンリンクサブフレームグループに対応するチャネル測定設定情報とする。
【０１８７】
ユーザー装置は、１つのダウンリンクサブフレームグループから１つのダウンリンクサブフレームをＤＬ  ＣＳＩ測定サブフレームとして選択し、対応するＣＳＩ測定周期に基づいてＤＬ  ＣＳＩ測定を行う。
【０１８８】
具体的に、ユーザー装置は、各周期内において、各ダウンリンクサブフレームグループにおいて１つのダウンリンクサブフレームを選択してＤＬ  ＣＳＩ測定を行い、且つ測定結果を記憶する。
【０１８９】
設定仕様２
ネットワーク側装置は、各ＣＳＩ測定サブフレームとダウンリンクサブフレームグループの対応関係、及びダウンリンクサブフレームグルに対応するＣＳＩ測定周期を当該ダウンリンクサブフレームグループに対応するチャネル測定設定情報とする。
ここで、１つのＣＳＩ測定サブフレームは、１つのダウンリンクサブフレームグループに対応する。
【０１９０】
ユーザー装置は、対応するＣＳＩ測定周期に基づいて、ダウンリンクサブフレームグループに対応するＤＬ  ＣＳＩ測定サブフレームにより、ＤＬ  ＣＳＩ測定を行う。
【０１９１】
好ましくは、ステップ９０２において、ユーザー装置は、受信したネットワーク側装置のＵＬ  ｇｒａｎｔにおけるＣＱＩ  ｒｅｑｕｅｓｔ情報に基づいて、フィードバックが必要と確定した後、測定結果をフィードバックする。
【０１９２】
ＵＬ  ｇｒａｎｔにおけるＣＱＩ  ｒｅｑｕｅｓｔ情報を介してトリガーする仕様は、多様であり、以下幾つかの例を挙げる。
【０１９３】
トリガー仕様１
ＣＱＩ  ｒｅｑｕｅｓｔ情報が１ビットを占有すれば、当該ビットは、フィードバックをトリガーするかを示す。
【０１９４】
好ましくは、ＣＱＩ  ｒｅｑｕｅｓｔ情報を搬送するＵＬ  ｇｒａｎｔがサブフレームｎのＰＵＳＣＨ伝送をスケジューリングし、且つＣＱＩ  ｒｅｑｕｅｓｔ情報がＣＳＩフィードバックが必要と示す場合、ユーザー装置は、当該ＰＵＳＣＨにおいて、サブフレームｎにより、サブフレームｎ−ｋにおいて測定したＤＬ  ＣＳＩをフィードバックする。
ここで、ｋ≧ユーザー装置の処理時間であり、且つサブフレームｎ−ｋは、サブフレームｎから一番近いＤＬ  ＣＳＩ測定サブフレームである。
【０１９５】
トリガー仕様２
ＣＱＩ  ｒｅｑｕｅｓｔ情報が１ビットを占有すれば、当該ビットは、フィードバックをトリガーするかを示す。
【０１９６】
好ましくは、ＣＱＩ  ｒｅｑｕｅｓｔ情報を搬送するＵＬ  ｇｒａｎｔがサブフレームｎのＰＵＳＣＨ伝送をスケジューリングし、且つＣＱＩ  ｒｅｑｕｅｓｔ情報がＣＳＩフィードバックが必要と示す場合、ユーザー装置は、当該ＰＵＳＣＨにおいて、サブフレームｎにより、サブフレームｎ−ｋｉにおいて測定したＤＬ  ＣＳＩをそれぞれフィードバックする。
ここで、ｋｉ≧ユーザー装置の処理時間であり、且つサブフレームｎ−ｋｉはサブフレームｎから一番近い第ｉ個ダウンリンクサブフレームグループにおけるＤＬ  ＣＳＩ測定サブフレームであり、ｉはＮより小なりイコールの正整数であり、Ｎはダウンリンクサブフレームグループ数である。
【０１９７】
トリガー仕様３
ＣＱＩ  ｒｅｑｕｅｓｔ情報の長さは複数のビットであり、ＣＱＩ  ｒｅｑｕｅｓｔ情報の複数のビット組み合わせにより、ユーザー装置に、どちらのダウンリンクサブフレームに対応するＤＬ  ＣＳＩをフィードバックするかを指示する。
【０１９８】
具体的に、ユーザー装置は、ダウンリンクサブフレームグループとビット値の対応関係に基づいて、ＣＱＩ  ｒｅｑｕｅｓｔ情報のビット値に対応するダウンリンクサブフレームグループを確定し、且つ確定したダウンリンクサブフレームグループにおけるＤＬ  ＣＳＩ測定サブフレームにより測定したＤＬ  ＣＳＩをフィードバックする。
【０１９９】
好ましくは、ＣＱＩ  ｒｅｑｕｅｓｔ情報を搬送するＵＬ  ｇｒａｎｔがサブフレームｎのＰＵＳＣＨ伝送をスケジューリングし、且つＣＱＩ  ｒｅｑｕｅｓｔ情報がＣＳＩフィードバックが必要と示す場合、ユーザー装置２０は、当該ＰＵＳＣＨにおいて、サブフレームｎにより、サブフレームｎ−ｋｉにおいて測定したＤＬ  ＣＳＩをフィードバックする。
ここで、ｋｉ≧ｍであり、ｍは、サブフレームを単位とするユーザー装置の処理時間であり、且つサブフレームｎ−ｋｉはサブフレームｎから一番近い第ｉ個ダウンリンクサブフレームグループにおけるＤＬ  ＣＳＩ測定サブフレームであり、ｉはＮより小なりイコールの正整数であり、且つｉは、ＣＱＩ  ｒｅｑｕｅｓｔ情報によりトリガーする、フィードバックすべくダウンリンクサブフレームグループナンバであり、Ｎはダウンリンクサブフレームグループ数である。
【０２００】
トリガー仕様４
ＣＱＩ  ｒｅｑｕｅｓｔ情報の長さは複数のビットである。
ダウンリンクサブフレームグループが多ければ、ダウンリンクサブフレームグループをさらに集合に分割し、１つの集合には、１つ以上のダウンリンクサブフレームグループが含まれる。
且つ、ＣＱＩ  ｒｅｑｕｅｓｔ情報の多様なビット組み合わせにより、どちらの集合におけるダウンリンクサブフレームグループのＤＬ  ＣＳＩをフィードバックするようにユーザー装置に指示する。
【０２０１】
具体的に、ユーザー装置は、ダウンリンクサブフレーム集合とビット値の対応関係に基づいて、ＣＱＩ  ｒｅｑｕｅｓｔ情報のビット値に対応するダウンリンクサブフレーム集合を確定し、且つ、確定したダウンリンクサブフレーム集合内のダウンリンクサブフレームグループにおけるＤＬ  ＣＳＩ測定サブフレームにより測定したＤＬ  ＣＳＩをフィードバックする。
ここで、１つのダウンリンクサブフレーム集合には、少なくとも１つのダウンリンクサブフレームグループが含まれる。
【０２０２】
好ましくは、ＣＱＩ  ｒｅｑｕｅｓｔ情報を搬送するＵＬ  ｇｒａｎｔがサブフレームｎのＰＵＳＣＨ伝送をスケジューリングし、且つＣＱＩ  ｒｅｑｕｅｓｔ情報がＣＳＩフィードバックが必要と示す場合、ユーザー装置２０は、当該ＰＵＳＣＨにおいて、サブフレームｎにより、サブフレームｎ−ｋｉにおいて測定したＤＬ  ＣＳＩをフィードバックする。
ここで、ｋｉ≧ｍであり、ｍは、サブフレームを単位とするユーザー装置の処理時間であり、且つサブフレームｎ−ｋｉはサブフレームｎから一番近い第ｉ個ダウンリンクサブフレームグループにおけるＤＬ  ＣＳＩ測定サブフレームであり、ｉはＮより小なりイコールの正整数であり、且つｉは、ＣＱＩ  ｒｅｑｕｅｓｔ情報によりトリガーする、フィードバックすべくダウンリンクサブフレームグループナンバであり、Ｎはダウンリンクサブフレームグループ数である。
【０２０３】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０２０４】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。  
【０２０５】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０２０６】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
【０２０７】
上述した実施形態に記述された技術的な解決手段を改造し、或いはその中の一部の技術要素を置換することもできる。そのような、改造と置換は本発明の各実施形態の技術の範囲から逸脱するとは見なされない。
【０２０８】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。  
【符号の説明】
【０２０９】
１０  ネットワーク側装置
２０  ユーザー装置
６００  分割モジュール
６１０  第１処理モジュール
７００  受信モジュール
７１０  第２処理モジュール
【図１】
0006293737.tif 000005
【図２Ａ】
0006293737.tif 000006
【図２Ｂ】
0006293737.tif 000007
【図３】
0006293737.tif 000008
【図４Ａ】
0006293737.tif 000009
【図４Ｂ】
0006293737.tif 000010
【図５】
0006293737.tif 000011
【図６】
0006293737.tif 000012
【図７】
0006293737.tif 000013
【図８】
0006293737.tif 000014
【図９】
0006293737.tif 000015